(57)【特許請求の範囲】
【請求項１】
第１の無線通信装置と第２の無線通信装置とが第１および第２の周波数帯域を含む複数の周波数帯域を用いて通信を行う無線通信方法であって、
前記第１の無線通信装置が、前記第１および第２の周波数帯域それぞれの帯域幅に基づいて、前記第１の周波数帯域で行う通信に用いる第１の制御信号と前記第２の周波数帯域で行う通信に用いる第２の制御信号とを、同一の周波数帯域で送信するか否か決定し、
前記第１の無線通信装置が、決定に基づいて、前記第１および第２の制御信号を、前記複数の周波数帯域のうちの１またはそれ以上の周波数帯域を用いて送信し、
前記第２の無線通信装置が、前記第１および第２の制御信号が同一の周波数帯域で送信される場合、前記第１および第２の周波数帯域それぞれの前記帯域幅に基づいて、前記第１の制御信号と前記第２の制御信号とに共通の信号長の候補を判定し、
前記第２の無線通信装置が、判定した前記共通の信号長の候補について、受信した信号からの信号抽出を行うことで、前記第１および第２の制御信号を検出する、
ことを特徴とする無線通信方法。
【請求項２】
前記第１の無線通信装置は、前記帯域幅に加えて、前記第１および第２の周波数帯域で行う通信それぞれの送信モードに基づいて、同一の周波数帯域で送信するか否か決定することを特徴とする請求項１記載の無線通信方法。
【請求項３】
前記第１の無線通信装置は、前記第１の周波数帯域と前記第２の周波数帯域とで、前記帯域幅が同一で且つ前記送信モードが同一の場合、前記第１および第２の制御信号を優先的に同一の周波数帯域で送信するよう制御することを特徴とする請求項２記載の無線通信方法。
【請求項４】
前記第１の無線通信装置は、前記送信モードに対応する制御信号のフォーマットを判定し、前記第１の周波数帯域と前記第２の周波数帯域とで、前記帯域幅が同一で且つ前記制御信号のフォーマットが同一の場合、前記第１および第２の制御信号を優先的に同一の周波数帯域で送信するよう制御することを特徴とする請求項２記載の無線通信方法。
【請求項５】
前記第１の無線通信装置は、前記送信モードに対応する制御信号のフォーマットを判定し、前記第１の周波数帯域と前記第２の周波数帯域とで、前記帯域幅が同一で且つ前記制御信号のフォーマットの取り得る信号長が同一の場合、前記第１および第２の制御信号を優先的に同一の周波数帯域で送信するよう制御することを特徴とする請求項２記載の無線通信方法。
【請求項６】
前記第１の無線通信装置は、前記帯域幅と前記送信モードとの組に対応する複数の信号長の候補を判定し、前記第１の周波数帯域と前記第２の周波数帯域とで、共通の信号長の候補がある場合、前記第１および第２の制御信号を優先的に同一の周波数帯域で送信するよう制御することを特徴とする請求項２記載の無線通信方法。
【請求項７】
前記第１の無線通信装置は、前記第１および第２の周波数帯域それぞれの前記帯域幅および前記送信モードに応じて、同一の周波数帯域で送信するか否かを決定する複数の決定方法の中から、優先的に実行する決定方法を選択することを特徴とする請求項２記載の無線通信方法。
【請求項８】
前記第１の無線通信装置は、前記第１の周波数帯域と前記第２の周波数帯域とで、前記帯域幅が同一の場合、前記第１および第２の制御信号を優先的に同一の周波数帯域で送信するよう制御することを特徴とする請求項１記載の無線通信方法。
【請求項９】
前記第１の無線通信装置は、前記第１および第２の周波数帯域と前記第１および第２の制御信号の送信に用いる周波数帯域との対応関係を、前記第２の無線通信装置に通知し、
前記第２の無線通信装置は、前記第１の無線通信装置からの通知に基づいて、前記第１および第２の制御信号を検出する、
ことを特徴とする請求項１記載の無線通信方法。
【請求項１０】
第１および第２の周波数帯域を含む複数の周波数帯域を用いて通信を行う無線通信システムであって、
前記第１および第２の周波数帯域それぞれの帯域幅に基づいて、前記第１の周波数帯域で行う通信に用いる第１の制御信号と前記第２の周波数帯域で行う通信に用いる第２の制御信号とを、同一の周波数帯域で送信するか否か決定する第１の制御部と、
前記第１の制御部の決定に基づいて、前記第１および第２の制御信号を、前記複数の周波数帯域のうちの１またはそれ以上の周波数帯域を用いて送信する送信部と、
を備える第１の無線通信装置と、
前記第１および第２の制御信号が同一の周波数帯域で送信される場合、前記第１および第２の周波数帯域それぞれの前記帯域幅に基づいて、前記第１の制御信号と前記第２の制御信号とに共通の信号長の候補を判定する第２の制御部と、
前記第２の制御部で判定した前記共通の信号長の候補について、受信した信号からの信号抽出を行うことで、前記第１および第２の制御信号を検出する信号処理部と、
を備える第２の無線通信装置と、
を有することを特徴とする無線通信システム。
【請求項１１】
第１および第２の周波数帯域を含む複数の周波数帯域を用いて他の無線通信装置と通信を行う無線通信装置であって、
前記第１および第２の周波数帯域それぞれの帯域幅と前記第１および第２の周波数帯域で行う通信それぞれの送信モードとに基づいて、前記第１の周波数帯域で行う通信に用いる第１の制御信号と前記第２の周波数帯域で行う通信に用いる第２の制御信号とを、同一の周波数帯域で送信するか否か決定する制御部と、
前記制御部の決定に基づいて、前記第１および第２の制御信号を、前記複数の周波数帯域のうちの１またはそれ以上の周波数帯域を用いて送信する送信部と、
を有し、
前記制御部は、前記帯域幅と前記送信モードとの組に対応する複数の信号長の候補を判定し、前記第１の周波数帯域と前記第２の周波数帯域とで共通の信号長の候補がある場合、前記第１および第２の制御信号を優先的に同一の周波数帯域で送信するよう制御することを特徴とする無線通信装置。
【請求項１２】
第１および第２の周波数帯域を含む複数の周波数帯域を用いて他の無線通信装置と通信を行う無線通信装置であって、
前記第１の周波数帯域で行う通信に用いる第１の制御信号と前記第２の周波数帯域で行う通信に用いる第２の制御信号とを含む信号を、１つの周波数帯域で受信する受信部と、
前記第１および第２の周波数帯域それぞれの帯域幅に基づいて、前記第１の制御信号と前記第２の制御信号とに共通の信号長の候補を判定する制御部と、
前記制御部で判定した前記共通の信号長の候補について、前記受信部が受信した信号からの信号抽出を行うことで、前記第１および第２の制御信号を検出する信号処理部と、
を有することを特徴とする無線通信装置。
【請求項１３】
第１および第２の周波数帯域を含む複数の周波数帯域を用いて通信を行う無線通信システムであって、
前記第１の周波数帯域で行う通信に用いる第１の制御信号と前記第２の周波数帯域で行う通信に用いる第２の制御信号とを送信する周波数帯域をそれぞれ決定する第１の制御部と、
前記第１の制御部の決定に基づいて、前記第１および第２の制御信号を、前記決定した周波数帯域を用いて送信する送信部と、
を備える第１の無線通信装置と、
前記第１の制御信号と前記第２の制御信号の信号長の候補を、前記第１および第２の周波数帯域それぞれの帯域幅に基づいて判定する第２の制御部と、
前記第２の制御部で判定した前記信号長の候補について、受信した信号からの信号抽出を行うことで、前記第１および第２の制御信号を検出する信号処理部と、
を備える第２の無線通信装置と、
を有することを特徴とする無線通信システム。
【請求項１４】
前記第１の無線通信装置における第１の制御部は、前記第１および第２の周波数帯域と前記第１および第２の制御信号の送信に用いる周波数帯域との対応関係を、前記第２の無線通信装置に通知するよう制御し、
前記第２の無線通信装置における信号処理部は、前記第１の無線通信装置からの通知に基づいて、前記第１および第２の制御信号を検出する、
ことを特徴とする請求項１３記載の無線通信システム。
【発明の詳細な説明】
【技術分野】
【０００１】
本発明は無線通信方法、無線通信システムおよび無線通信装置に関する。
【背景技術】
【０００２】
現在、携帯電話システムや無線ＭＡＮ（Metropolitan Area Network）などの無線通信システムが広く利用されている。また、無線通信の分野では、通信速度や通信容量を更に向上させるべく、次世代の通信技術について継続的に活発な議論が行われている。【０００３】
無線通信では、一方の無線通信装置が他方の無線通信装置に対して、制御信号を送信することがある。制御信号として伝達される情報には、自装置が送信したデータを相手装置が受信するために参照される情報（例えば、データ送信に使用した無線リソースや変調符号化方式を示す情報）が含まれ得る。また、相手装置が自装置に対してデータを送信するために参照される情報（例えば、データ送信に使用すべき無線リソースや変調符号化方式を指定した情報）が含まれ得る。【０００４】
ここで、制御信号の長さは一定であるとは限らない。例えば、制御信号のフォーマットとして、長さの異なる複数のフォーマットが定義されていることがある。制御信号の用途に応じて、これらフォーマットを使い分けることが考えられる。また、無線通信システムがデータ送信に使用する周波数帯域の帯域幅に応じて、制御信号の長さが変わることがある（例えば、非特許文献１の第５．３．３．１節参照）。【０００５】
制御信号の長さが可変である場合、制御信号を受け取る無線通信装置は、受信信号に対してブラインド復号を行うことがある。ブラインド復号では、同一の受信信号に対して、制御信号が取り得る複数の長さの候補に応じた複数回の復号処理を試みる。そして、復号処理が成功したか否かに基づいて、制御信号を検出する。制御信号の検出を行うべき無線リソースの領域（サーチスペース）は、例えば、所定の規則に基づいて予め定義しておく（例えば、非特許文献２の第９．１．１節参照）。【０００６】
また、無線通信システムには、複数の周波数帯域を並列に用いて無線通信を行えるようにすることが検討されているものがある。複数の周波数帯域それぞれは、コンポーネントキャリアと呼ばれることがある。また、複数の周波数帯域を用いる場合、制御信号とそれに対応するデータを、異なる周波数帯域で送信できるようにすることも検討されている。このような制御信号の送信方法は、クロスキャリアスケジューリングと呼ばれることがある。クロスキャリアスケジューリングでは、キャリアインジケータフィールド（ＣＩＦ）を用いて、１つの周波数帯域で、複数の周波数帯域分の制御信号を送信することも可能である（例えば、非特許文献３参照）。
【先行技術文献】
【非特許文献】
【０００７】
【非特許文献１】3rd Generation Partnership Project, "Evolved Universal Terrestrial Radio Access (E-UTRA); Multiplexing and channel coding", 3GPP TS 36.212 V9.0.0, 2009-12.
【非特許文献２】3rd Generation Partnership Project, "Evolved Universal Terrestrial Radio Access (E-UTRA); Physical layer procedures", 3GPP TS 36.213 V9.0.1, 2009-12.
【非特許文献３】3rd Generation Partnership Project, "Way Forward on PDCCH for Bandwidth Extension in LTE-A", R1-093699, 3GPP TSG RAN WG1 Meeting58, 2009-08.
【発明の概要】
【発明が解決しようとする課題】
【０００８】
しかし、複数の周波数帯域を用いてデータ通信を行う場合、制御信号の長さの候補は、何れの周波数帯域で行うデータ通信に対応する制御信号であるかによって異なる場合がある。そのため、複数の周波数帯域に対応する複数の制御信号それぞれを、任意の周波数帯域で送信できるようにすると、周波数帯域１つ当たりのサーチスペースに含まれる制御信号の長さの候補数が増加してしまう。よって、制御信号を受信する無線通信装置における信号検出の負担が増大するという問題がある。【０００９】
本発明はこのような点に鑑みてなされたものであり、複数の周波数帯域を用いて通信を行う場合の制御信号の検出負担を軽減できるようにした無線通信方法、無線通信システムおよび無線通信装置を提供することを目的とする。
【課題を解決するための手段】
【００１０】
上記課題を解決するために、第１の無線通信装置と第２の無線通信装置とが第１および第２の周波数帯域を含む複数の周波数帯域を用いて通信を行う無線通信方法が提供される。この無線通信方法では、第１の無線通信装置が、第１および第２の周波数帯域それぞれの帯域幅に基づいて、第１の周波数帯域で行う通信に用いる第１の制御信号と第２の周波数帯域で行う通信に用いる第２の制御信号とを、同一の周波数帯域で送信するか否か決定する。第１の無線通信装置が、決定に基づいて、第１および第２の制御信号を、複数の周波数帯域のうちの１またはそれ以上の周波数帯域を用いて送信する。第２の無線通信装置が、第１および第２の制御信号が同一の周波数帯域で送信される場合、第１および第２の周波数帯域それぞれの帯域幅に基づいて、第１の制御信号と第２の制御信号とに共通の信号長の候補を判定する。第２の無線通信装置が、判定した共通の信号長の候補について、受信した信号からの信号抽出を行うことで、第１および第２の制御信号を検出する。【００１１】
また、上記課題を解決するために、第１および第２の周波数帯域を含む複数の周波数帯域を用いて通信を行う無線通信システムが提供される。この無線通信システムは、第１の制御部と送信部とを備える第１の無線通信装置と、第２の制御部と信号処理部とを備える第２の無線通信装置とを有する。第１の制御部は、第１および第２の周波数帯域それぞれの帯域幅に基づいて、第１の周波数帯域で行う通信に用いる第１の制御信号と第２の周波数帯域で行う通信に用いる第２の制御信号とを、同一の周波数帯域で送信するか否か決定する。送信部は、第１の制御部の決定に基づいて、第１および第２の制御信号を、複数の周波数帯域のうちの１またはそれ以上の周波数帯域を用いて送信する。第２の制御部は、第１および第２の制御信号が同一の周波数帯域で送信される場合、第１および第２の周波数帯域それぞれの帯域幅に基づいて、第１の制御信号と第２の制御信号とに共通の信号長の候補を判定する。信号処理部は、第２の制御部で判定した共通の信号長の候補について、受信した信号からの信号抽出を行うことで、第１および第２の制御信号を検出する。
【発明の効果】
【００１２】
上記無線通信方法、無線通信システムおよび無線通信装置によれば、複数の周波数帯域を用いて通信を行う場合の制御信号の検出負担を軽減することができる。
本発明の上記および他の目的、特徴および利点は、本発明の例として好ましい実施の形態を表す添付の図面と関連した以下の説明により明らかになるであろう。
【図面の簡単な説明】
【００１３】
【図１】第１の実施の形態の無線通信システムを示す図である。
【図２】第２の実施の形態の移動通信システムを示す図である。
【図３】コンポーネントキャリアの設定例を示す図である。
【図４】無線フレームの構造例を示す図である。
【図５】ＰＤＳＣＨとＰＵＳＣＨとＰＤＣＣＨの設定例を示す図である。
【図６】サーチスペースに含まれるＰＤＣＣＨの候補数を示す図である。
【図７】ＤＣＩフォーマットの使用条件（共通）を示す図である。
【図８】ＤＣＩフォーマットの使用条件（ＵＥ個別）を示す図である。
【図９】帯域幅とＤＣＩフォーマットのサイズとの関係を示す図である。
【図１０】基地局から移動局に通知される情報を示す図である。
【図１１】基地局の構造を示すブロック図である。
【図１２】移動局の構造を示すブロック図である。
【図１３】ＰＤＣＣＨの送受信の流れを示すフローチャートである。
【図１４】第２の実施の形態の基地局制御を示すフローチャートである。
【図１５】コンポーネントキャリアのグループ化の例を示す図である。
【図１６】第２の実施の形態のＰＤＣＣＨの第１の送信例を示す図である。
【図１７】第２の実施の形態のＰＤＣＣＨの第２の送信例を示す図である。
【図１８】第２の実施の形態のＰＤＣＣＨの第３の送信例を示す図である。
【図１９】第２の実施の形態のＰＤＣＣＨの第４の送信例を示す図である。
【図２０】第２の実施の形態のＰＤＣＣＨの第５の送信例を示す図である。
【図２１】第３の実施の形態の基地局制御を示すフローチャートである。
【図２２】第３の実施の形態のＰＤＣＣＨの送信例を示す図である。
【図２３】第４の実施の形態の基地局制御を示すフローチャートである。
【図２４】第４の実施の形態のＰＤＣＣＨの送信例を示す図である。
【図２５】第５の実施の形態の基地局制御を示すフローチャートである。
【図２６】第６の実施の形態の基地局制御を示すフローチャートである。
【発明を実施するための形態】
【００１４】
以下、本実施の形態を図面を参照して詳細に説明する。
［第１の実施の形態］
図１は、第１の実施の形態の無線通信システムを示す図である。第１の実施の形態に係る無線通信システムは、無線通信装置１０，２０を含む。無線通信装置１０，２０は、第１・第２の周波数帯域を含む複数の周波数帯域を用いて、無線通信を行う。無線通信装置１０は、無線通信装置２０に対して制御信号を送信する。例えば、無線通信装置１０を基地局または中継局、無線通信装置２０を移動局として実現することが考えられる。
【００１５】
無線通信装置１０は、制御部１１と送信部１２を有する。制御部１１は、第１・第２の制御信号を何れの周波数帯域で送信するか決定する。第１の制御信号は、第１の周波数帯域で行う通信に用いられる信号であり、第２の制御信号は、第２の周波数帯域で行う通信に用いられる信号である。特に、制御部１１は、第１・第２の制御信号を同一の周波数帯域（または、当該周波数帯域に設けられる同一のサーチスペース）で送信するか否かを、少なくとも、第１・第２の周波数帯域の帯域幅を参照して決定する。送信部１２は、制御部１１の決定に基づいて、第１・第２の制御信号を、同一または異なる周波数帯域を用いて、無線通信装置２０に送信する。
【００１６】
無線通信装置２０は、受信部２１と制御部２２と信号処理部２３を有する。受信部２１は、第１・第２の制御信号を含む信号を無線通信装置１０から受信する。制御部２２は、受信信号から第１・第２の制御信号を抽出できるよう、第１・第２の制御信号の信号長の候補を判定する。特に、第１・第２の制御信号が同一の周波数帯域（または、当該周波数帯域に設けられる同一のサーチスペース）で送信される場合に、第１・第２の制御信号に共通の信号長の候補を、第１・第２の周波数帯域の帯域幅を参照して判定する。信号処理部２３は、少なくとも制御部２２が判定した共通の信号長の候補について受信信号からの信号抽出を行うことで、第１・第２の制御信号を検出する。
【００１７】
ここで、制御信号の長さの候補は、その制御信号を用いる通信が行われる周波数帯域の帯域幅に依存する。従って、少なくとも帯域幅を参照して制御信号の送信に用いる周波数帯域を決定することで、周波数帯域１つ当たりの制御信号の長さの候補数を抑制することができる。例えば、制御部１１は、第１・第２の周波数帯域の帯域幅が同一である場合には、第１・第２の制御信号を同一の周波数帯域（または、当該周波数帯域に設けられる同一のサーチスペース）で送信すると決定することが考えられる。なお、第１・第２の制御信号は、第１または第２の周波数帯域を用いて送信してもよいし他の周波数帯域を用いて送信してもよい。
【００１８】
また、制御信号の長さの候補は、更にその制御信号を用いる通信の送信モード（Transmission Mode）に依存することがある。その場合、制御部１１は、帯域幅に加えて送信モードを参照して制御信号の送信に用いる周波数帯域を決定してもよい。例えば、制御部１１は、第１・第２の周波数帯域について帯域幅が同一で且つ送信モードが同一である場合は、第１・第２の制御信号を同一の周波数帯域（または、当該周波数帯域に設けられる同一のサーチスペース）で送信すると決定することが考えられる。また、その場合、制御部２２は、帯域幅に加えて送信モードを参照して、第１・第２の制御信号に共通の信号長の候補を判定してもよい。
【００１９】
なお、送信モードは、データ送信の方法を定義したものであり、予め用意された複数の送信モードの候補の中から選択される。送信モードでは、例えば、送信ダイバーシティの方法、ＭＩＭＯ（Multiple Input Multiple Output）の方法、無線リソースの割り当て方法、パイロット信号の送信方法などの各種方法が定義される。送信モードの例としては、ＬＴＥ（Long Term Evolution）やＬＴＥ−Ａ（LTE - Advanced）の仕様で定義されたものがある。送信モードは、通信を行う周波数帯域毎に選択してもよい。また、無線通信装置１０が複数の無線通信装置と通信を行う場合、通信相手毎に送信モードを選択してもよい。
【００２０】
このような第１の実施の形態に係る無線通信システムでは、無線通信装置１０は、第１・第２の周波数帯域の帯域幅に基づいて、第１・第２の制御信号を、同一の周波数帯域で送信するか否か決定する。そして、決定に基づいて、第１・第２の制御信号を、１またはそれ以上の周波数帯域を用いて送信する。無線通信装置２０は、第１・第２の制御信号が同一の周波数帯域で送信される場合に、第１・第２の周波数帯域の帯域幅に基づいて、第１・第２の制御信号に共通の信号長の候補を判定する。そして、少なくとも共通の信号長の候補について、受信信号からの信号抽出を行い、第１・第２の制御信号を検出する。
【００２１】
これにより、制御信号の長さが可変である場合に、制御信号が送信され得る周波数帯域１つ当たりの信号長の候補数を抑制することが可能となる。従って、無線通信装置２０が行う信号抽出（例えば、ブラインド復号）の試行回数を低減することができ、無線通信装置２０の負担を軽減することができる。
【００２２】
すなわち、帯域幅に基づいて第１・第２の制御信号を同一の周波数帯域で送信するか否か決定されるため、第１・第２の制御信号が同一の周波数帯域を用いて送信される場合には、両者に共通の信号長の候補が存在する可能性が高くなる。無線通信装置２０は、共通の信号長の候補については、共通の信号抽出によって第１・第２の制御信号の両方をカバーすることができ、信号抽出の試行回数を抑制することができる。
【００２３】
以下に説明する第２〜第５の実施の形態では、第１の実施の形態の無線通信システムをＬＴＥ−Ａの移動通信システムとして実現する場合を考える。ただし、第１の実施の形態の無線通信システムは、もちろん、固定無線通信システムや他の種類の移動通信システムとして実現することも可能である。
【００２４】
［第２の実施の形態］
図２は、第２の実施の形態の移動通信システムを示す図である。第２の実施の形態に係る移動通信システムは、基地局１００と移動局２００，２００ａを含む。
【００２５】
基地局１００は、移動局２００，２００ａと無線通信を行う無線通信装置である。基地局１００は、有線の上位ネットワーク（図示せず）に接続され、上位ネットワークと移動局２００，２００ａとの間でデータを転送する。基地局１００は、後述するように、無線通信に、コンポーネントキャリア（ＣＣ：Component Carrier）と呼ばれる周波数帯域を複数（例えば、５つ）使用することができる。
【００２６】
移動局２００，２００ａは、基地局１００に接続して無線通信を行う無線端末装置であり、例えば、携帯電話機や携帯情報端末装置である。移動局２００，２００ａは、基地局１００からデータを受信すると共に、基地局１００へデータを送信する。基地局１００から移動局２００，２００ａの方向のリンクを下りリンク（ＤＬ：DownLink）、移動局２００，２００ａから基地局１００の方向のリンクを上りリンク（ＵＬ：UpLink）と呼ぶことがある。移動局２００，２００ａは、５つのＣＣの一部または全部を使用する。複数のＣＣを用いて通信を行うことを、キャリアアグリゲーションと呼ぶことがある。
【００２７】
なお、基地局１００は第１の実施の形態の無線通信装置１０の一例、移動局２００，２００ａは第１の実施の形態の無線通信装置２０の一例と考えることができる。また、第２の実施の形態では、移動局２００，２００ａが基地局に接続する場合を考えるが、移動局２００，２００ａは中継局に接続してもよい。その場合、中継局と移動局２００，２００ａとの間で、後述する制御信号の送受信が行われる。
【００２８】
図３は、コンポーネントキャリアの設定例を示す図である。基地局１００は、移動局２００，２００ａとの通信に、例えば、最大で５つのＣＣ（ＣＣ＃１〜ＣＣ＃５）を使用できる。
【００２９】
双方向通信に周波数分割複信（ＦＤＤ：Frequency Division Duplex）を用いる場合、ＤＬとＵＬそれぞれについて、ＣＣ＃１〜＃５の周波数帯域が確保される。単にＣＣと呼ぶ場合、ＤＬ用の周波数帯域とＵＬ用の周波数帯域の組を指すことがある。双方向通信に時分割複信（ＴＤＤ：Time Division Duplex）を用いる場合、ＤＬとＵＬを区別せずに、５つの周波数帯域が確保される。図３は、ＦＤＤを用いる場合を示している。
【００３０】
基地局１００は、収容予定の移動局数や要求される通信速度などを考慮して、ＣＣ＃１〜＃５それぞれの帯域幅を設定する。具体的には、１．４ＭＨｚ，３ＭＨｚ，５ＭＨｚ，１０ＭＨｚ，１５ＭＨｚ，２０ＭＨｚの中から、ＣＣ＃１〜＃５の帯域幅を選択する。全てのＣＣを同一の帯域幅にしてもよいし、ＣＣによって異なる帯域幅にしてもよい。基地局１００は、ＣＣ＃１〜＃５それぞれについて無線リソースの割り当て管理を行う。
【００３１】
図４は、無線フレームの構造例を示す図である。基地局１００と移動局２００，２００ａの間では、ＣＣ毎に無線フレームが送受信される。１つの無線フレームは、複数のサブフレーム（例えば、１０サブフレーム）を含む。
【００３２】
無線リソースは、基地局１００によって、サブフレーム単位で割り当てが管理される。無線リソースの周波数方向の最小単位はサブキャリア、時間方向の最小単位はシンボルである。多重アクセス方式として、例えば、ＵＬサブフレームにはＳＣ−ＦＤＭＡ（Single Carrier - Frequency Division Multiple Access）が用いられる。ＤＬサブフレームにはＯＦＤＭＡ（Orthogonal Frequency Division Multiple Access）が用いられる。
【００３３】
ＵＬサブフレームは、上りリンク物理共有チャネル（ＰＵＳＣＨ：Physical Uplink Shared CHannel）のための領域を含む。ＤＬサブフレームは、下りリンク物理共有チャネル（ＰＤＳＣＨ：Physical Downlink Shared CHannel）のための領域と、下りリンク物理制御チャネル（ＰＤＣＣＨ：Physical Downlink Control CHannel）のための領域を含む。ＰＤＣＣＨの領域は、ＤＬサブフレームの先頭からＮシンボル（Ｎは、ＣＣの帯域幅に応じて１〜３または２〜４の間で可変）に設定され、ＰＤＳＣＨの領域は、ＰＤＣＣＨに続く残りのシンボルに設定される。
【００３４】
ＰＵＳＣＨは、移動局２００，２００ａが基地局１００に対してユーザデータや制御情報を送信するための物理チャネルである。移動局２００，２００ａそれぞれに対してＰＵＳＣＨが設定され得る。１つのＵＬサブフレームには、周波数分割により複数の移動局分のＰＵＳＣＨを設定できる。基地局１００は、ＵＬサブフレームの無線リソースを移動局２００，２００ａに割り当てることで、動的にＰＵＳＣＨを設定する。
【００３５】
ＰＤＳＣＨは、基地局１００が移動局２００，２００ａに対してユーザデータや上位レイヤの制御情報を送信するための物理チャネルである。移動局２００，２００ａそれぞれに対してＰＤＳＣＨが設定され得る。１つのＤＬサブフレームには、直交周波数分割により複数の移動局分のＰＤＳＣＨを設定できる。基地局１００は、ＤＬサブフレームの無線リソースを移動局２００，２００ａに割り当てることで、動的にＰＤＳＣＨを設定する。
【００３６】
ＰＤＣＣＨは、基地局１００が移動局２００，２００ａに対してＬ１／Ｌ２（Layer 1 / Layer 2）制御信号を送信するための物理チャネルである。ＰＤＣＣＨで送信される制御信号には、ＰＵＳＣＨやＰＤＳＣＨに関する制御信号が含まれる。ＰＵＳＣＨに関する制御信号が示す情報は、ＰＵＳＣＨが設定された無線リソースを示す情報、変調符号化方式（ＭＣＳ：Modulation and Coding Scheme）などデータフォーマットを指定する情報、ＨＡＲＱ（Hybrid Automatic Repeat reQuest）による上り再送制御を示す情報などを含む。ＰＤＳＣＨに関する制御信号が示す情報は、ＰＤＳＣＨが設定された無線リソースを示す情報、データフォーマットを示す情報、下り再送制御を示す情報などを含む。
【００３７】
ＰＤＣＣＨは、ＰＵＳＣＨ，ＰＤＳＣＨそれぞれに対応して設定される。すなわち、ＰＵＳＣＨに関する制御信号とＰＤＳＣＨに関する制御信号とは、異なるＰＤＣＣＨで送信される。また、異なる移動局に対する制御信号は、異なるＰＤＣＣＨで送信される。１つのＤＬサブフレームには、直交周波数分割により複数のＰＤＣＣＨを設定できる。移動局２００，２００ａは、自局宛ての制御信号が送信される可能性のあるＣＣのＰＤＣＣＨの領域を監視することで、ＰＵＳＣＨやＰＤＳＣＨに関する制御信号を検出する。
【００３８】
図５は、ＰＤＳＣＨとＰＵＳＣＨとＰＤＣＣＨの設定例を示す図である。ここでは、移動局２００についてのＰＤＳＣＨ・ＰＵＳＣＨ・ＰＤＣＣＨが設定される場合を考える。
この例では、移動局２００は、ＣＣ＃１，＃２で基地局１００からデータを受信すると共に、ＣＣ＃１で基地局１００にデータを送信する。すなわち、移動局２００のＰＤＳＣＨがＤＬのＣＣ＃１，＃２に設定され、移動局２００のＰＵＳＣＨがＵＬのＣＣ＃１に設定される。また、移動局２００は、ＣＣ＃１で基地局１００から制御信号を受信する。すなわち、移動局２００のＰＤＣＣＨがＤＬのＣＣ＃１に設定される。移動局２００は、ＣＣ＃１のＰＤＣＣＨの領域を監視することで、自局が受信すべきＰＤＣＣＨを検出する。
【００３９】
この例では、１つのＰＤＣＣＨの領域に、同一サブフレームに設けられたＰＤＳＣＨに対応するＰＤＣＣＨと、同一タイミングのＣＣ＃２のサブフレームに設けられたＰＤＳＣＨに対応するＰＤＣＣＨとが含まれる。更に、所定時間後（例えば、４サブフレーム後）のＣＣ＃１のサブフレームに設けられたＰＵＳＣＨに対応するＰＤＣＣＨが含まれる。移動局２００は、当該１つのＰＤＣＣＨの領域から、自局宛ての３つのＰＤＣＣＨを検出して、２つのＰＤＳＣＨの受信処理と１つのＰＵＳＣＨの送信処理とを制御する。
【００４０】
このように、ＰＤＣＣＨの領域で、そのＰＤＣＣＨの領域が属するＣＣとは異なるＣＣの物理チャネルに関する制御信号を送信することができる。すなわち、第２の実施の形態の移動通信システムでは、クロスキャリアスケジューリングが可能である。なお、移動局２００ａについても、移動局２００と同様にＰＤＳＣＨ・ＰＵＳＣＨ・ＰＤＣＣＨが設定され得る。その場合、ＰＤＣＣＨを設ける１またはそれ以上のＣＣの集合（モニタリングセット）は、移動局２００と移動局２００ａとで独立に設定することができる。同一のＣＣに、移動局２００，２００ａのＰＤＣＣＨが混在してもよい。
【００４１】
ここで、データ通信が行われるＣＣ毎に、送信モードが設定される。送信モードとしては、８個のモード（送信モード１〜８）が定義されている。送信モードでは、送信ダイバーシティの有無、ＭＩＭＯの有無、無線リソースの割り当て方法、パイロット信号の送信方法などが定義される。送信モードは、移動局２００と移動局２００ａとで独立に選択することができる。
【００４２】
（１）送信モード１では、１つのアンテナポートを用いてデータ通信を行う。
（２）送信モード２では、送信ダイバーシティを行う。
（３）送信モード３では、遅延の大きな巡回遅延ダイバーシティ（ＣＤＤ：Cyclic Delay Diversity）または送信ダイバーシティを行う。ＣＤＤは、ＯＦＤＭシンボルを巡回シフトした信号を送信することで、周波数ダイバーシティの利得を得られるようにする。
【００４３】
（４）送信モード４では、閉ループ空間多重を行う。
（５）送信モード５では、マルチユーザＭＩＭＯを実行する。
（６）送信モード６では、シングルトランスミッションレイヤを用いて閉ループ空間多重を行う。
【００４４】
（７）送信モード７では、物理報知チャネル（ＰＢＣＨ：Physical Broadcast CHannel）を出力するアンテナポート数に応じて、１つのアンテナポートを用いたデータ通信または送信ダイバーシティを行う。
【００４５】
（８）送信モード８では、ＰＢＣＨを送信するアンテナポート数などの条件に応じて、１つのアンテナポートを用いたデータ通信、送信ダイバーシティ、デュアルレイヤトランスミッションなどを行う。デュアルレイヤトランスミッションは、多重対象の２つの移動局から受信するＵＬ信号の到来角情報を利用して、それぞれのＤＬ送信信号のビームを形成する送信方法である。
【００４６】
次に、移動局２００，２００ａがＰＤＣＣＨを検出する方法について説明する。
移動局２００，２００ａがＰＤＣＣＨを効率的に検出できるように、監視すべき無線リソースの領域（サーチスペース）が定義される。サーチスペースには、複数の移動局に共通の制御信号を送信するための共通サーチスペースと、特定の移動局宛ての制御信号を送信するためのＵＥ個別（User Equipment - specific）サーチスペースがある。移動局２００，２００ａは、共通サーチスペースと自局に対応するＵＥ個別サーチスペースを監視する。
【００４７】
図６は、サーチスペースに含まれるＰＤＣＣＨの候補数を示す図である。サーチスペースに複数のＰＤＣＣＨを含める方法として、集約レベルが定義されている。
共通サーチスペースでは、２通りの集約レベルの中から１つが選択される。集約レベル＝４の場合、サーチスペース全体で１６ＣＣＥ（Control Channel Element）の大きさが用意され、各ＰＤＣＣＨは４ＣＣＥを使用する。よって、最大４個のＰＤＣＣＨを送信できる。同様に、集約レベル＝８の場合、最大２個のＰＤＣＣＨを送信できる。
【００４８】
ＵＥ個別サーチスペースでは、４通りの集約レベルの中から１つが選択される。集約レベル＝１の場合、サーチスペース全体で６ＣＣＥの大きさが用意され、各ＰＤＣＣＨは１ＣＣＥを使用する。よって、最大６個のＰＤＣＣＨを送信できる。同様に、集約レベル＝２の場合、最大６個のＰＤＣＣＨを送信できる。集約レベル＝４の場合、最大２個のＰＤＣＣＨを送信できる。集約レベル＝８の場合、最大２個のＰＤＣＣＨを送信できる。
【００４９】
移動局２００，２００ａは、各サーチスペースの集約レベルを事前に知らず、よって、サーチスペースに複数のＰＤＣＣＨがどのように挿入されているかを知らない。そこで、移動局２００，２００ａは、共通サーチスペースについては、２通りの集約レベルを想定し、サーチスペースの信号から４＋２＝６個のＰＤＣＣＨの候補を抽出する。同様に、ＵＥ個別サーチスペースについては、４通りの集約レベルを想定し、サーチスペースの信号から６＋６＋２＋２＝１６個のＰＤＣＣＨの候補を抽出する。そして、ＰＤＣＣＨの候補それぞれについて、ブラインド復号を行う。
【００５０】
ここで、ＰＤＣＣＨのフォーマットとして、ＤＣＩ（Downlink Control Information）フォーマット０，１，１Ａ，１Ｂ，１Ｃ，１Ｄ，２，２Ａ，２Ｂ，３，３Ａが定義されている。制御信号の用途に応じて、これらＤＣＩフォーマットが使い分けられる。
【００５１】
（０）ＤＣＩフォーマット０は、ＰＵＳＣＨのスケジューリングに用いられる。
（１）ＤＣＩフォーマット１は、ＰＤＳＣＨの通常のスケジューリングに用いられる。ＤＣＩフォーマット１では、不連続な無線リソースを指定することもできる。
【００５２】
（１Ａ）ＤＣＩフォーマット１Ａは、ＰＤＳＣＨのコンパクトスケジューリングに用いられる。コンパクトスケジューリングは、連続する無線リソースを、開始位置とサイズとによって指定するスケジューリング方法である。また、ＤＣＩフォーマット１Ａは、ランダムアクセスの起動に用いられることもある。
【００５３】
（１Ｂ）ＤＣＩフォーマット１Ｂは、プリコーディング情報を含めて通知する場合の、ＰＤＳＣＨのコンパクトスケジューリングに用いられる。プリコーディングは、ＭＩＭＯ通信を行うとき、送信側で伝送路の状態に応じた線形処理を送信信号に施すことである。
【００５４】
（１Ｃ）ＤＣＩフォーマット１Ｃは、ＤＣＩフォーマット１Ａよりも更に通知情報が小さくなるような、ＰＤＳＣＨのコンパクトスケジューリングに用いられる。
（１Ｄ）ＤＣＩフォーマット１Ｄは、プリコーディング情報と電力オフセット情報の両方を含めて通知する場合の、ＰＤＳＣＨのコンパクトスケジューリングに用いられる。
【００５５】
（２）ＤＣＩフォーマット２は、閉ループ制御によるＭＩＭＯ（閉ループＭＩＭＯ）を実行するときの、ＰＤＳＣＨのスケジューリングに用いられる。
（２Ａ）ＤＣＩフォーマット２Ａは、開ループ制御によるＭＩＭＯ（開ループＭＩＭＯ）を実行するときの、ＰＤＳＣＨのスケジューリングに用いられる。
【００５６】
（２Ｂ）ＤＣＩフォーマット２Ｂは、デュアルレイヤトランスミッションを実行するときの、ＰＤＳＣＨのスケジューリングに用いられる。
（３）ＤＣＩフォーマット３は、移動局宛ての２ビットの送信電力制御（ＴＰＣ：Transmission Power Control）コマンドを送信するために用いられる。
【００５７】
（３Ａ）ＤＣＩフォーマット３Ａは、移動局宛ての１ビットのＴＰＣコマンドを送信するために用いられる。
基地局１００は、移動局２００，２００ａに割り当てるＲＮＴＩ（Radio Network Temporary Identifier）と呼ばれる識別子に応じたスクランブル系列を用いて、ＰＤＣＣＨの制御信号をスクランブル処理する。ＲＮＴＩの種類には、ＳＩ−ＲＮＴＩ，Ｐ−ＲＮＴＩ，ＲＡ−ＲＮＴＩ，Ｃ−ＲＮＴＩ，ＳＰＳ  Ｃ−ＲＮＴＩ，テンポラリＣ−ＲＮＴＩ，ＴＰＣ−ＰＵＣＣＨ（Physical Uplink Control CHannel）−ＲＮＴＩ，ＴＰＣ−ＰＵＳＣＨ−ＲＮＴＩが含まれる。
【００５８】
ＳＩ−ＲＮＴＩは、システム情報の送信に用いられる識別子である。
Ｐ−ＲＮＴＩは、移動局の呼び出し（ページング）に用いられる識別子である。
ＲＡ−ＲＮＴＩは、ランダムアクセスに用いられる識別子である。
【００５９】
Ｃ−ＲＮＴＩは、接続状態にある移動局に付与され、通常のデータ送信に用いられる。
ＳＰＳ  Ｃ−ＲＮＴＩは、パーシステントスケジューリングによるデータ送信に用いられる識別子である。パーシステントスケジューリングは、一定周期の無線リソースを割り当てるスケジューリング方法であり、音声通信など間欠的な通信に適用される。
【００６０】
テンポラリＣ−ＲＮＴＩは、正式なＣ−ＲＮＴＩが付与される前のランダムアクセス手続中の通信に用いられる識別子である。
ＴＰＣ−ＰＵＣＣＨ−ＲＮＴＩ，ＴＰＣ−ＰＵＳＣＨ−ＲＮＴＩは、それぞれ、ＰＵＣＣＨ，ＰＵＳＣＨに関するＴＰＣコマンドの送信に用いられる識別子である。
【００６１】
図７は、ＤＣＩフォーマットの使用条件（共通）を示す図である。共通サーチスペースには、ＤＣＩフォーマット０，１Ａ，１Ｃ，３，３ＡのＰＤＣＣＨが含まれ得る。ＤＣＩフォーマット０，１Ａ，１Ｃ，３，３Ａは、送信モードに依存しない。
【００６２】
ＤＣＩフォーマット０は、Ｃ−ＲＮＴＩ，ＳＰＳ  Ｃ−ＲＮＴＩまたはテンポラリＣ−ＲＮＴＩに基づいてスクランブル処理される。ＤＣＩフォーマット１Ａは、ＳＩ−ＲＮＴＩ，Ｐ−ＲＮＴＩ，ＲＡ−ＲＮＴＩ，Ｃ−ＲＮＴＩ，ＳＰＳ  Ｃ−ＲＮＴＩまたはテンポラリＣ−ＲＮＴＩに基づいてスクランブル処理される。ＤＣＩフォーマット１Ｃは、ＳＩ−ＲＮＴＩ，Ｐ−ＲＮＴＩまたはＲＡ−ＲＮＴＩに基づいてスクランブル処理される。ＤＣＩフォーマット３，３Ａは、ＴＰＣ−ＰＵＣＣＨ−ＲＮＴＩまたはＴＰＣ−ＰＵＳＣＨ−ＲＮＴＩに基づいてスクランブル処理される。
【００６３】
移動局２００，２００ａは、共通サーチスペースでは、送信モードにかかわらず、ＤＣＩフォーマット０，１Ａ，３，３ＡのＰＤＣＣＨをサーチする。また、ＳＩ−ＲＮＴＩ，Ｐ−ＲＮＴＩ，ＲＡ−ＲＮＴＩの何れかを用いてＰＤＣＣＨを復号するよう上位レイヤから指示されたサブフレームでは、送信モードにかかわらず、ＤＣＩフォーマット１ＣのＰＤＣＣＨをサーチする。
【００６４】
図８は、ＤＣＩフォーマットの使用条件（ＵＥ個別）を示す図である。ＵＥ個別サーチスペースには、ＤＣＩフォーマット０，１，１Ａ，１Ｂ，１Ｄ，２，２Ａ，２ＢのＰＤＣＣＨが含まれ得る。ＤＣＩフォーマット０，１Ａは、送信モードに依存しない。
【００６５】
一方、ＤＣＩフォーマット１は、送信モード１，２，７の通信のための制御信号に用いる。ＤＣＩフォーマット１Ｂは、送信モード６の通信のための制御信号に用いる。ＤＣＩフォーマット１Ｄは、送信モード５の通信のための制御信号に用いる。ＤＣＩフォーマット２は、送信モード４の通信のための制御信号に用いる。ＤＣＩフォーマット２Ａは、送信モード３の通信のための制御信号に用いる。ＤＣＩフォーマット２Ｂは、送信モード８の通信のための制御信号に用いる。
【００６６】
ＤＣＩフォーマット０，２，２Ａ，２Ｂは、Ｃ−ＲＮＴＩまたはＳＰＳ  Ｃ−ＲＮＴＩに基づいてスクランブル処理される。ＤＣＩフォーマット１，１Ａは、Ｃ−ＲＮＴＩ，ＳＰＳ  Ｃ−ＲＮＴＩまたはテンポラリＣ−ＲＮＴＩに基づいてスクランブル処理される。ＤＣＩフォーマット１Ｂ，１Ｄは、Ｃ−ＲＮＴＩに基づいてスクランブル処理される。
【００６７】
移動局２００，２００ａは、ＵＥ個別サーチスペースでは、送信モードにかかわらず、ＤＣＩフォーマット０，１ＡのＰＤＣＣＨをサーチする。また、移動局２００，２００ａがデータ通信を行っているＣＣの送信モードに応じて、ＤＣＩフォーマット１，１Ｂ，１Ｄ，２，２Ａまたは２ＢのＰＤＣＣＨをサーチする。
【００６８】
図９は、帯域幅とＤＣＩフォーマットのサイズとの関係を示す図である。ＰＤＣＣＨのペイロードの長さは、ＤＣＩフォーマットと制御信号を適用するデータ通信が行われるＣＣの帯域幅とに依存する。帯域幅が大きいほど、原則としてペイロードが長くなる。図９は、ペイロードのビット数を示している。なお、図９のビット数は、ＦＤＤを用いる場合の例であり、ＣＲＣ（Cyclic Redundancy Check）と３ビットのＣＩＦが含まれている。
【００６９】
ただし、ＤＣＩフォーマット１Ｃには、ＣＩＦが含まれていないものとしている。これは、ＬＴＥ−Ａでは、クロスキャリアスケジューリングに関して以下の合意事項があるためである。
【００７０】
（１）Ｐ−ＲＮＴＩ，ＲＡ−ＲＮＴＩ，ＳＩ−ＲＮＴＩまたはＴｅｍｐｏｒａｒｙ  Ｃ−ＲＮＴＩに基づいてＣＲＣがスクランブル処理されるＤＣＩフォーマットには、ＣＩＦを含めない。
【００７１】
（２）Ｃ−ＲＮＴＩまたはＳＰＳ  Ｃ−ＲＮＴＩに基づいてＣＲＣがスクランブル処理されるＵＥ個別サーチスペースのＤＣＩフォーマット０，１，１Ａ，１Ｂ，１Ｄ，２，２Ａ，２Ｂには、ＣＩＦを含めることができる。
【００７２】
（３）Ｃ−ＲＮＴＩまたはＳＰＳ  Ｃ−ＲＮＴＩに基づいてＣＲＣがスクランブル処理される共通サーチスペースのＤＣＩフォーマット０，１Ａには、ＣＩＦを含めない。
すなわち、共通サーチスペースのＰＤＣＣＨではクロスキャリアスケジューリングは行われない。このため、図９の例において、ＤＣＩフォーマット１Ｃのサイズには、ＣＩＦは含まれない。
【００７３】
なお、図９において、ＲＢはリソースブロックを表す。ＲＢ６個は１．４ＭＨｚに相当し、ＲＢ１５個は３ＭＨｚに相当し、ＲＢ２５個は５ＭＨｚに相当し、ＲＢ５０個は１０ＭＨｚに相当し、ＲＢ７５個は１５ＭＨｚに相当し、ＲＢ１００個は２０ＭＨｚに相当する。また、ＤＣＩフォーマット１Ｂ，１Ｄ，２，２Ａのペイロード長は、基地局１００がデータ送信に使用するアンテナポート数によって異なる。括弧外のビット数はアンテナポート数＝２の場合であり、括弧内のビット数はアンテナポート数＝４の場合である。
【００７４】
また、図９に示すように、ＤＣＩフォーマット０，１Ａ，３，３Ａの実際のペイロード長は、帯域幅が同じでも一致しない。しかし、基地局１００は、ＰＤＣＣＨを送信する際にパディングビットを付加することで、ＤＣＩフォーマット０，１Ａ，３，３Ａのペイロード長が同じになるよう制御する。従って、移動局２００，２００ａは、ＤＣＩフォーマット０，１Ａ，３，３Ａについては、一括してブラインド復号を行うことができる。
【００７５】
ここで、図６〜９の内容に基づいて、移動局２００，２００ａがＰＤＣＣＨを検出するために行うブラインド復号の回数について説明する。移動局２００，２００ａが１つのＣＣのみを用いて通信を行う場合を考える。
【００７６】
共通サーチスペースでは、移動局２００，２００ａは、送信モードにかかわらず、ＤＣＩフォーマット０，１Ａ，１Ｃ，３，３ＡのＰＤＣＣＨを復号する。ＤＣＩフォーマット０，１Ａ，３，３Ａの信号長は同じであることから、ＰＤＣＣＨ１つ当たりの信号長の候補は、ＤＣＩフォーマット０，１Ｃと帯域幅との組み合わせから決まる２つとなる。共通サーチスペースから抽出されるＰＤＣＣＨの候補は６個であるため、移動局２００，２００ａは、最大２×６＝１２回のブラインド復号を行うことになる。
【００７７】
ＵＥ個別サーチスペースでは、移動局２００，２００ａは、送信モードにかかわらず、ＤＣＩフォーマット０，１ＡのＰＤＣＣＨを復号する。ＤＣＩフォーマット０，１Ａの信号長は同じであることから、信号長の候補には、ＤＣＩフォーマット０と帯域幅の組み合わせから決まる長さが含まれる。更に、送信モードに応じて、ＤＣＩフォーマット１，１Ｂ，１Ｄ，２，２Ａ，２Ｂの何れか１つのＰＤＣＣＨを復号する。よって、信号長の候補には、送信モードに応じたＤＣＩフォーマットと帯域幅の組み合わせから決まる長さが含まれる。ＵＥ個別サーチスペースから抽出されるＰＤＣＣＨの候補は１６個であるため、最大（１＋１）×１６＝３２回のブラインド復号を行うことになる。
【００７８】
以上より、移動局２００，２００ａは、１つのＣＣのみを用いて通信を行う場合、同一の受信信号に対して、最大１２＋３２＝４４回のブラインド復号を行うことになる。クロスキャリアスケジューリングを行う場合、送信モードと帯域幅の組み合わせが複数通り存在することにより、ブラインド復号の回数が更に増加する可能性がある。以下では、移動局２００，２００ａのブラインド復号の回数を低減するための制御について説明する。
【００７９】
図１０は、基地局から移動局に通知される情報を示す図である。移動局２００，２００ａがＰＤＣＣＨのブラインド復号を行うために参照する情報として、基地局１００から移動局２００，２００ａに、図１０に示すような情報が通知される。基地局１００から移動局２００，２００ａへの通知情報には、移動局２００，２００ａに共通に通知される報知情報と、移動局２００，２００ａそれぞれに個別に通知される個別情報が含まれる。
【００８０】
報知情報には、ＤＬのＣＣ＃１〜＃５それぞれの中心周波数と帯域幅とを示す情報が含まれる。また、報知情報には、ＵＬのＣＣ＃１〜＃５それぞれの中心周波数と帯域幅とを示す情報が含まれる。基地局１００は、ＤＬのＣＣ＃１〜＃５それぞれの帯域幅を各ＣＣで送信される報知チャネル（ＰＢＣＨ）で送信し、ＵＬのＣＣ＃１〜＃５それぞれの中心周波数と帯域幅をＰＤＣＣＨに付随するデータチャネル（ＰＤＳＣＨ）で送信する。ＤＬのＣＣ＃１〜＃５それぞれの中心周波数は、ＰＤＳＣＨで送信される場合と、報知情報では通知せずに移動局２００，２００ａがセルサーチにより自局で検出する場合とが考えられる。報知情報の内容は、通知先の移動局に依存しない。
【００８１】
個別情報には、ＣＣ＃１〜＃５をグループ分けしたときの各グループに付与されるＩＤと、ＣＣ＃１〜＃５それぞれに付与される識別子であるキャリアインディケータ（ＣＩ）とが含まれる。グループ分けについては後述する。また、個別情報には、モニタリングセットに含まれるＣＣ（以下では、モニタリングＣＣと呼ぶ）の識別子、データ通信に使用するＣＣの識別子、モニタリングＣＣと使用ＣＣとの対応関係を示す情報、および、使用ＣＣそれぞれの送信モードの番号が含まれる。基地局１００は、これら個別情報をデータチャネル（ＰＤＳＣＨ）で移動局２００，２００ａに送信する。個別情報の内容は、移動局毎に異なる可能性がある。
【００８２】
図１１は、基地局の構造を示すブロック図である。基地局１００は、制御部１１０、ＰＢＣＨ生成部１２０、スケジューラ１３０、ＰＤＣＣＨ生成部１４０、ＰＤＳＣＨ生成部１５０、無線送信部１６０、無線受信部１７０およびＰＵＳＣＨ処理部１８０を有する。
【００８３】
制御部１１０は、移動局２００，２００ａとの間の無線通信を制御する。制御部１１０は、帯域幅設定部１１１、送信モード設定部１１２、グループ決定部１１３およびＣＩ付与部１１４を有する。
【００８４】
帯域幅設定部１１１は、ＣＣ＃１〜＃５それぞれの帯域幅を設定する。帯域幅は、６ＲＢ（１．４ＭＨｚ），１５ＲＢ（３ＭＨｚ），２５ＲＢ（５ＭＨｚ），５０ＲＢ（１０ＭＨｚ），７５ＲＢ（１５ＭＨｚ），１００ＲＢ（２０ＭＨｚ）の中から選択される。帯域幅設定部１１１は、例えば、オペレータからの指示に応じて帯域幅を変更することができる。帯域幅設定部１１１は、設定した帯域幅を、ＰＢＣＨ生成部１２０およびＰＤＣＣＨ生成部１４０に通知する。
【００８５】
送信モード設定部１１２は、移動局２００，２００ａが使用するＣＣそれぞれの送信モードを設定する。送信モードは移動局毎に設定される。送信モード設定部１１２は、移動局２００，２００ａが備える機能や伝送路の状態などの通信条件に応じて、送信モード１〜８の中から適用する送信モードを選択する。送信モード設定部１１２は、設定した送信モードを、ＰＤＣＣＨ生成部１４０およびＰＤＳＣＨ生成部１５０に通知する。
【００８６】
グループ決定部１１３は、帯域幅設定部１１１が設定した帯域幅と送信モード設定部１１２が設定した送信モードとに基づいて、移動局２００，２００ａが使用するＣＣをグループ分けする。同一のグループに属するＣＣで行われる通信に関する制御信号は、同一のＣＣ上の同一のサーチスペースに纏めて送信することを許可する。一方、異なるグループに属するＣＣで行われる通信に関する制御信号は、同一のＣＣで送信してもよいし、異なるＣＣで送信してもよい。ＣＣのグループは移動局毎に決定される。グループ分けの方法は後述する。
【００８７】
また、グループ決定部１１３は、グループ毎に、当該グループに関する制御信号の送信に用いる少なくとも１つのモニタリングＣＣを選択する。また、各グループに識別子（グループＩＤ）を付与する。グループ決定部１１３は、データ通信に使用するＣＣとモニタリングＣＣとの対応関係を、ＰＤＣＣＨ生成部１４０およびＰＤＳＣＨ生成部１５０に通知する。また、グループＩＤをＰＤＳＣＨ生成部１５０に通知する。
【００８８】
ＣＩ付与部１１４は、移動局２００，２００ａが使用するＣＣそれぞれに、ＣＩを付与する。ＣＩは、基地局１００から移動局２００，２００ａに送信される通知情報やＰＤＣＣＨの制御信号において、ＣＣ＃１〜＃５を識別するために用いられる。ＣＩは、ＣＣ＃１〜＃５全体で一意になるように付与してもよいし、グループ内で一意になるように付与してもよい。同一のＣＣで制御信号を送るＣＣ間では少なくとも一意になるようにするのが望ましい。ＣＩ付与部１１４は、ＣＩをＰＤＳＣＨ生成部１５０に通知する。
【００８９】
ＰＢＣＨ生成部１２０は、制御部１１０から通知される情報に基づいて、ＰＢＣＨで送信（報知）する報知情報の信号を生成する。報知情報には、前述の通り、ＤＬのＣＣの帯域幅を示す情報が含まれる。報知情報はＣＣ毎に生成される。ＰＢＣＨ生成部１２０は、生成した報知情報の信号を無線送信部１６０に出力する。
【００９０】
スケジューラ１３０は、無線リソースの割り当てを管理する。すなわち、スケジューラ１３０は、上位ネットワークから移動局２００，２００ａ宛てのユーザデータが到着すると、ＰＤＳＣＨの無線リソースを割り当てる。また、移動局２００，２００ａから受信するユーザデータや制御情報があるとき、ＰＵＳＣＨの無線リソースを割り当てる。スケジューラ１３０は、スケジューリング結果をＰＤＣＣＨ生成部１４０に通知する。
【００９１】
ＰＤＣＣＨ生成部１４０は、スケジューラ１３０から通知されるスケジューリング結果に応じて、ＰＤＣＣＨで送信する制御信号を生成する。制御信号には、前述の通り、ＰＤＳＣＨに対応する制御信号やＰＵＳＣＨに対応する制御信号が含まれる。ここで、ＰＤＣＣＨ生成部１４０は、制御部１１０から通知される帯域幅と送信モードとの組み合わせに基づいて、制御信号の長さを調整する。また、制御部１１０から通知される情報に基づいて、制御信号の送信に用いるＣＣを判断する。ＰＤＣＣＨ生成部１４０は、生成した制御信号を無線送信部１６０に出力する。
【００９２】
ＰＤＳＣＨ生成部１５０は、上位ネットワークから到着したユーザデータと制御部１１０から取得した通知情報を誤り訂正符号化し、データ信号を生成する。通知情報には、前述の通り、ＵＬのＣＣの中心周波数や帯域幅、グループＩＤ、ＣＩ、モニタリングＣＣ、使用ＣＣ、モニタリングＣＣと使用ＣＣの対応関係および送信モードを示す情報が含まれる。ＰＤＳＣＨ生成部１５０は、生成したデータ信号を無線送信部１６０に出力する。
【００９３】
無線送信部１６０は、ＰＢＣＨ生成部１２０から取得した報知情報の信号、ＰＤＣＣＨ生成部１４０から取得した制御信号およびＰＤＳＣＨ生成部１５０から取得したデータ信号を、無線信号に変換（アップコンバート）してアンテナから出力する。無線信号への変換のために、無線送信部１６０は、例えば、Ｄ／Ａ（Digital to Analog）変換器、周波数変換器、帯域通過フィルタ（ＢＰＦ：Band Pass Filter）などの回路を備える。
【００９４】
無線受信部１７０は、移動局２００，２００ａから受信した無線信号をベースバンド信号に変換（ダウンコンバート）し、ベースバンド信号をＰＵＳＣＨ処理部１８０に出力する。ベースバンド信号への変換のために、無線受信部１７０は、例えば、低雑音増幅器（ＬＮＡ：Low Noise Amplifier）、周波数変換器、ＢＰＦ、Ａ／Ｄ（Analog to Digital）変換器などの回路を備える。
【００９５】
ＰＵＳＣＨ処理部１８０は、無線受信部１７０から取得したベースバンド信号を、誤り訂正復号する。これにより、移動局２００，２００ａがＰＵＳＣＨで送信したユーザデータや上位レイヤの制御情報が抽出される。抽出されたユーザデータは、上位ネットワークに転送され、抽出された制御情報の一部は、スケジューラ１３０に渡される。
【００９６】
なお、ＰＢＣＨ生成部１２０、ＰＤＣＣＨ生成部１４０、ＰＤＳＣＨ生成部１５０、無線送信部１６０、無線受信部１７０およびＰＵＳＣＨ処理部１８０は、ＣＣ＃１〜＃５毎に個別に設けてもよい。
【００９７】
図１２は、移動局の構造を示すブロック図である。移動局２００は、無線受信部２１０、ＰＢＣＨ処理部２２０、ＰＤＣＣＨ処理部２３０、ＰＤＳＣＨ処理部２４０、報知情報処理部２５０、個別情報処理部２６０、制御部２７０、ＰＵＳＣＨ生成部２８０および無線送信部２９０を有する。移動局２００ａも、移動局２００と同様のブロック構造によって実現することができる。
【００９８】
無線受信部２１０は、基地局１００から受信した無線信号をベースバンド信号にダウンコンバートし、ベースバンド信号をＰＢＣＨ処理部２２０、ＰＤＣＣＨ処理部２３０およびＰＤＳＣＨ処理部２４０に出力する。ベースバンド信号への変換のために、無線受信部２１０は、例えば、ＬＮＡ、周波数変換器、ＢＰＦ、Ａ／Ｄ変換器などの回路を備える。
【００９９】
ＰＢＣＨ処理部２２０は、無線受信部２１０から取得したベースバンド信号から、ＰＢＣＨが設定されている無線リソース領域の信号（ＰＢＣＨの信号）を抽出し、誤り訂正復号する。ＰＢＣＨの無線リソース領域は既知である。ＰＢＣＨはＣＣ毎に抽出される。ＰＢＣＨ処理部２２０は、復号された報知情報を報知情報処理部２５０に出力する。
【０１００】
ＰＤＣＣＨ処理部２３０は、無線受信部２１０から取得したベースバンド信号から、共通サーチスペースおよび自局のＵＥ個別サーチスペースに含まれるＰＤＣＣＨの候補の信号を抽出する。そして、抽出したＰＤＣＣＨの候補に対してブラインド復号を行い、自局が参照すべき制御信号を検出する。ここで、ブラインド復号を行うＣＣ（モニタリングＣＣ）と制御信号の長さの候補は、制御部２７０から通知される。
【０１０１】
制御信号には、前述の通り、ＰＤＳＣＨに関する制御信号とＰＵＳＣＨに関する制御信号とが含まれる。ＰＤＳＣＨに関する制御信号では、ＰＤＳＣＨの無線リソースや適用されたデータフォーマットなどが通知される。ＰＵＳＣＨに関する制御信号では、ＰＵＳＣＨの無線リソースや適用されるデータフォーマットなどが指定される。ＰＤＣＣＨ処理部２３０は、ＰＤＳＣＨに関する制御信号をＰＤＳＣＨ処理部２４０に出力し、ＰＵＳＣＨに関する制御信号をＰＵＳＣＨ生成部２８０に出力する。
【０１０２】
ＰＤＳＣＨ処理部２４０は、ＰＤＣＣＨ処理部２３０から取得した制御信号を参照して、無線受信部２１０から取得したベースバンド信号から、ＰＤＳＣＨで送信されたデータ信号を抽出し誤り訂正復号する。これにより、基地局１００が送信したユーザデータや通知情報が抽出される。ＰＤＳＣＨ処理部２４０は、抽出された通知情報のうち、報知情報（ＵＬのＣＣの中心周波数および帯域幅を示す情報）を報知情報処理部２５０に出力し、個別情報を個別情報処理部２６０に出力する。
【０１０３】
報知情報処理部２５０は、ＰＢＣＨで送信された報知情報をＰＢＣＨ処理部２２０から取得し、ＰＤＳＣＨで送信された報知情報をＰＤＳＣＨ処理部２４０から取得する。そして、報知情報が示すＣＣ＃１〜＃５の帯域幅を制御部２７０に通知する。また、報知情報処理部２５０は、ＰＢＣＨ処理部２２０による報知情報の信号処理の結果から、基地局１００のアンテナポート数を推定して制御部２７０に通知する。例えば、アンテナポート数は、ＣＲＣ（Cyclic Redundancy Check）のスクランブル処理に用いられているスクランブル系列から推定することができる。
【０１０４】
個別情報処理部２６０は、ＰＤＳＣＨで送信された個別情報をＰＤＳＣＨ処理部２４０から取得し、個別情報が示すモニタリングＣＣやＣＣのグループ、データ通信を行うＣＣそれぞれの送信モードを、制御部２７０に通知する。
【０１０５】
制御部２７０は、報知情報処理部２５０および個別情報処理部２６０から通知された情報に基づいて、ＰＤＣＣＨ処理部２３０が行うブラインド復号を制御する。すなわち、制御部２７０は、モニタリングＣＣをＰＤＣＣＨ処理部２３０に通知する。また、制御部２７０は、モニタリングＣＣ毎に、制御信号の長さの候補をデータ通信が行われるＣＣの帯域幅、送信モードおよび基地局１００のアンテナポート数に基づいて算出する。そして、制御信号の長さの候補をＰＤＣＣＨ処理部２３０に通知する。
【０１０６】
ＰＵＳＣＨ生成部２８０は、ＰＤＣＣＨ処理部２３０から取得した制御信号を参照して、基地局１００に送信するユーザデータや上位レイヤの制御情報を誤り訂正符号化し、ＰＵＳＣＨのデータ信号を生成する。ＰＵＳＣＨ生成部２８０は、生成したデータ信号を無線送信部２９０に出力する。なお、データ信号を送信するサブフレームは、ＰＵＳＣＨに関する制御信号を受信したサブフレームから所定数後（例えば、４サブフレーム後）である。
【０１０７】
無線送信部２９０は、ＰＵＳＣＨ生成部２８０から取得したデータ信号を、無線信号にアップコンバートしてアンテナから出力する。無線信号への変換のために、無線送信部２９０は、例えば、Ｄ／Ａ変換器、周波数変換器、ＢＰＦなどの回路を備える。
【０１０８】
なお、無線受信部２１０、ＰＢＣＨ処理部２２０、ＰＤＣＣＨ処理部２３０、ＰＤＳＣＨ処理部２４０、ＰＵＳＣＨ生成部２８０および無線送信部２９０は、ＣＣ＃１〜＃５毎に個別に設けてもよい。
【０１０９】
図１３は、ＰＤＣＣＨの送受信の流れを示すフローチャートである。ここでは、基地局１００と移動局２００が通信を行う場合を考える。基地局１００と移動局２００ａが通信を行う場合も同様である。図１３に示す処理をステップ番号に沿って説明する。
【０１１０】
（ステップＳ１）基地局１００は、ＣＣ＃１〜＃５の帯域幅を設定する。基地局１００は、ＣＣ＃１〜＃５のＤＬの帯域幅を示す報知情報をＰＢＣＨで送信する。また、ＣＣ＃１〜＃５のＵＬの帯域幅を示す報知情報をＰＤＳＣＨで送信する。
【０１１１】
（ステップＳ２）移動局２００は、基地局１００から報知情報を受信し、ＣＣ＃１〜＃５の帯域幅と基地局１００が使用しているアンテナポート数を検出する。
（ステップＳ３）基地局１００は、移動局２００についてキャリアアグリゲーションの設定を行う。すなわち、移動局２００が使用する複数のＣＣをグループ分けし、グループ毎に少なくとも１つのモニタリングＣＣを設定する。基地局１００は、キャリアアグリゲーションの設定を示す個別情報を、ＰＤＳＣＨで移動局２００に送信する。
【０１１２】
（ステップＳ４）移動局２００は、基地局１００から個別情報を受信し、自局がデータ通信に使用する複数のＣＣと各ＣＣの送信モードとを検出する。
（ステップＳ５）移動局２００は、データ通信に使用するＣＣそれぞれについて、ステップＳ４で検出した送信モードに基づいて、当該ＣＣに関するＰＤＣＣＨに用いられるＤＣＩフォーマットの候補を特定する。特に、移動局２００は、ＵＥ個別サーチスペースで使用され得るＤＣＩフォーマットとして、ＤＣＩフォーマット１，１Ｂ，１Ｄ，２，２Ａ，２Ｂの中から、送信モードに応じたものを選択する。
【０１１３】
（ステップＳ６）移動局２００は、モニタリングＣＣそれぞれについて、ステップＳ２で検出した帯域幅およびアンテナポート数とステップＳ５で特定したＤＣＩフォーマットの候補とに基づいて、ＰＤＣＣＨの信号長の候補（すなわち、ブラインド復号のサイズ）を設定する。特に、複数のＣＣに関するＰＤＣＣＨが当該モニタリングＣＣに設定される場合、移動局２００は、ブラインド復号の回数を抑制するため、複数のＣＣに共通のサイズを判定する。以降、移動局２００は、各モニタリングＣＣの共通サーチスペースと自局のＵＥ個別サーチスペースとを監視する。
【０１１４】
（ステップＳ７）基地局１００は、移動局２００がＰＤＳＣＨまたはＰＵＳＣＨの処理に用いる制御信号を生成する。そして、生成した制御信号を、共通サーチスペースまたはＵＥ個別サーチスペース内のＰＤＣＣＨにマッピングし、移動局２００に送信する。
【０１１５】
（ステップＳ８）移動局２００は、ステップＳ６で設定されたサイズに基づいて、ＰＤＣＣＨのブラインド復号を行う。すなわち、移動局２００は、モニタリングＣＣの共通サーチスペースおよび自局のＵＥ個別サーチスペースから、ＰＤＣＣＨの候補を抽出する。そして、各ＰＤＣＣＨの候補に対し、複数の信号長の候補それぞれを想定した復号を試みる。誤り訂正復号に成功すると、復号結果として自局が参照すべき制御信号が得られる。
【０１１６】
（ステップＳ９）移動局２００は、ステップＳ８で抽出された制御信号に基づいて、基地局１００との間のＤＬ通信またはＵＬ通信を制御する。すなわち、移動局２００は、ＰＤＳＣＨに関する制御信号が抽出された場合、制御信号に応じて、ＰＤＳＣＨの受信処理を行う。ＰＵＳＣＨに関する制御信号が抽出された場合、制御信号に応じて、所定時間後のサブフレームでＰＵＳＣＨの送信処理を行う。
【０１１７】
なお、上記ステップＳ１の処理は、１回実行すれば、ＣＣ＃１〜＃５の帯域幅やアンテナポート数に変更がない限り再実行しなくてもよい。ステップＳ３〜Ｓ６の処理は、１回実行すれば、移動局２００の使用するＣＣや送信モードに変更がない限り再実行しなくてもよい。ステップＳ７の処理は、基地局１００と移動局２００の間に接続が確立されている間、継続的に実行される。
【０１１８】
図１４は、第２の実施の形態の基地局制御を示すフローチャートである。このフローチャートは、上記ステップＳ３の処理の具体例を示したものである。図１４に示す処理をステップ番号に沿って説明する。
【０１１９】
（ステップＳ１１）送信モード設定部１１２は、移動局２００に使用させるＣＣ、すなわち、移動局２００のＰＤＳＣＨまたはＰＵＳＣＨを設定し得るＣＣを設定する。また、送信モード設定部１１２は、使用ＣＣそれぞれの送信モードを設定する。
【０１２０】
（ステップＳ１２）グループ決定部１１３は、１つのグループに含めることができるＣＣの最大数を設定する。最大数は、１つのＣＣで纏めて送信することができる制御信号の量を考慮して設定する。例えば、最大数＝３とする。
【０１２１】
（ステップＳ１３）グループ決定部１１３は、未だ何れのグループにも属していないＣＣの中に、ＤＬの帯域幅と送信モードの両方が同一である２以上のＣＣが存在するか判断する。存在する場合、処理をステップＳ１４に進める。存在しない場合、処理をステップＳ１６に進める。
【０１２２】
（ステップＳ１４）グループ決定部１１３は、未だ何れのグループにも属していないＣＣの中から、ＤＬの帯域幅と送信モードの両方が同一である複数のＣＣを抽出する。ただし、ステップＳ１２で設定した最大数を超えない数のＣＣのみを抽出する。
【０１２３】
（ステップＳ１５）グループ決定部１１３は、ステップＳ１４で抽出したＣＣをグループ化する。そして、処理をステップＳ１３に進める。
（ステップＳ１６）グループ決定部１１３は、未だ何れのグループにも属していないＣＣが残っている場合、それらＣＣをグループ化する。ただし、各グループに属するＣＣの数が、ステップＳ１２で設定した最大数を超えないようにする。
【０１２４】
（ステップＳ１７）グループ決定部１１３は、ステップＳ１５，Ｓ１６で定義したグループそれぞれにグループＩＤを付与する。また、グループ決定部１１３は、ステップＳ１５，Ｓ１６で定義したグループ毎に、少なくとも１つのモニタリングＣＣを選択する。モニタリングＣＣは、グループ内のＣＣから選択してもよいし、グループ外のＣＣから選択してもよい。例えば、移動局２００で測定される通信品質が良好なＣＣをモニタリングＣＣとして選択することが考えられる。
【０１２５】
（ステップＳ１８）ＣＩ付与部１１４は、移動局２００に使用させるＣＣそれぞれにＣＩを付与する。例えば、ステップＳ１５，Ｓ１６で定義したグループ内で一意になるようにＣＩを付与する。ＣＩは、例えば、３ビットの数値で定義する。
【０１２６】
このように、第２の実施の形態では、帯域幅と送信モードの組み合わせが同じＣＣは、できる限り同一グループに属するようグループ分けする。帯域幅と送信モードの組み合わせが異なるＣＣは、同じグループに属するようにしてもよいし、異なるグループに属するようにしてもよい。帯域幅と送信モードの組み合わせが同じＣＣに関するＰＤＣＣＨは、信号長の候補も同じとなる。
【０１２７】
ここで、前述の通り、同じグループに属するＣＣに関するＰＤＣＣＨは同一のＣＣの同一のサーチスペースで送信され得る。そのため信号長が同じであるＰＤＣＣＨのサーチスペースが複数に分散せず、１つのモニタリングＣＣの１つのサーチスペースに集約されるため、ブラインド復号回数の増加を抑制することができる。
【０１２８】
なお、図１４のフローチャートでは全てのＣＣをグループ化しているが、ステップＳ１４で抽出されずに残ったＣＣについては、ステップＳ１６でグループ化しないようにしてもよい。その場合、グループ化しなかったＣＣについては、クロスキャリアスケジューリングを行わなくてもよい。すなわち、ＰＤＳＣＨまたはＰＵＳＣＨに関する制御信号を、ＰＤＳＣＨまたはＰＵＳＣＨと同じＣＣで送信してもよい。
【０１２９】
図１５は、コンポーネントキャリアのグループ化の例を示す図である。この例では、移動局２００が、４個のＣＣ（ＣＣ＃１〜＃４）を用いて基地局１００からデータを受信する場合を考えている。また、ＣＣ＃１，＃２のＤＬの帯域幅は共にＡ［ＲＢ］であり、ＣＣ＃３，＃４のＤＬの帯域幅は共にＢ［ＲＢ］である。ＣＣ＃１，＃２の送信モードは共に送信モードＸであり、ＣＣ＃３，＃４の送信モードは共に送信モードＹである。
【０１３０】
この場合、基地局１００は、例えば、ＣＣ＃１，＃２が同じグループ（グループ＃１）に属し、ＣＣ＃３，＃４が同じグループ（グループ＃２）に属するよう、ＣＣ＃１〜＃４をグループ分けする。グループ＃１のモニタリングＣＣは、ＣＣ＃１である。すなわち、ＣＣ＃１，＃２に設定されるＰＤＳＣＨ用の制御信号は、ＣＣ＃１で送信される。また、グループ＃２のモニタリングＣＣはＣＣ＃３である。すなわち、ＣＣ＃３，＃４に設定されるＰＤＳＣＨ用の制御信号は、ＣＣ＃３で送信される。
【０１３１】
また、図１５の例では、各グループ内で一意なＣＩを各ＣＣに付与している。具体的には、ＣＣ＃１にＣＩ＝０００（２進数表記）を付与し、ＣＣ＃２にＣＩ＝００１を付与する。また、ＣＣ＃３にＣＩ＝０００を付与し、ＣＣ＃４にＣＩ＝００１を付与する。ただし、ＣＣ＃１にＣＩ＝０００を付与し、ＣＣ＃２にＣＩ＝００１を付与し、ＣＣ＃３にＣＩ＝０１０を付与し、ＣＣ＃４にＣＩ＝０１１を付与するようにしてもよい。
【０１３２】
図１６は、第２の実施の形態のＰＤＣＣＨの第１の送信例を示す図である。図１６の例では、ＤＬの帯域幅と送信モードとの組み合わせが、ＣＣ＃１は（７５ＲＢ，送信モード１）、ＣＣ＃２は（７５ＲＢ，送信モード１）、ＣＣ＃３は（１００ＲＢ，送信モード３）、ＣＣ＃４は（１００ＲＢ，送信モード３）である。ＣＣ＃１，＃２はグループ＃１に属し、ＣＣ＃３，＃４はグループ＃２に属する。ＣＣ＃１がグループ＃１のモニタリングＣＣであり、ＣＣ＃３がグループ＃２のモニタリングＣＣである。
【０１３３】
この場合、移動局２００は、ＣＣ＃１の共通サーチスペースおよびＵＥ個別サーチスペースからＰＤＣＣＨの候補を抽出して、ブラインド復号を行う。ブラインド復号のサイズは、帯域幅＝７５ＲＢおよび送信モード１から決まるサイズとなる。帯域幅と送信モードの組み合わせがＣＣ＃１，＃２で同じであるため、共通のサイズでＣＣ＃１に関するＰＤＣＣＨとＣＣ＃２に関するＰＤＣＣＨの両方をブラインド復号することができる。
【０１３４】
すなわち、ＣＣ＃１のブラインド復号では、共通サーチスペースについて、ＤＣＩフォーマット０，１Ａ，３，３Ａに共通の信号長と、ＤＣＩフォーマット１Ｃの信号長（３０ビット）が長さの候補となる。共通サーチスペースには、６個のＰＤＣＣＨの候補が含まれる。また、ＵＥ個別サーチスペースについて、ＤＣＩフォーマット０，１Ａに共通の信号長と、送信モード１に対応するＤＣＩフォーマット１の信号長（５２ビット）が長さの候補となる。ＵＥ個別サーチスペースには、１６個のＰＤＣＣＨの候補が含まれる。以上より、移動局２００は、最大で２×６＋２×１６＝４４回のブラインド復号を行う。
【０１３５】
同様に、移動局２００は、ＣＣ＃３の共通サーチスペースおよびＵＥ個別サーチスペースからＰＤＣＣＨの候補を抽出し、ブラインド復号を行う。ブラインド復号のサイズは、帯域幅＝１００ＲＢおよび送信モード３から決まるサイズとなる。帯域幅と送信モードの組み合わせがＣＣ＃３，＃４で同じであるため、共通のサイズでＣＣ＃３に関するＰＤＣＣＨとＣＣ＃４に関するＰＤＣＣＨの両方をブラインド復号することができる。
【０１３６】
すなわち、ＣＣ＃３のブラインド復号では、共通サーチスペースについて、ＤＣＩフォーマット０，１Ａ，３，３Ａに共通の信号長と、ＤＣＩフォーマット１Ｃの信号長（３１ビット）が長さの候補となる。また、ＵＥ個別サーチスペースについて、ＤＣＩフォーマット０，１Ａに共通の信号長と、送信モード３に対応するＤＣＩフォーマット２Ａの信号長（６７ビットまたは６９ビット）が長さの候補となる。ＣＣ＃１の場合と同様、移動局２００は、最大で２×６＋２×１６＝４４回のブラインド復号を行う。
【０１３７】
このように、図１６の例では、モニタリングＣＣ１つ当たりのブラインド復号の回数は、最大で４４回である。これに対し、もしＣＣ＃１〜＃４のグループ分けを行わない場合、１つのサーチスペースに、ＣＣ＃１〜＃４に関するＰＤＣＣＨが混在し得る。すなわち、移動局２００は、各モニタリングＣＣで、帯域幅＝７５ＲＢおよび送信モード１から決まるサイズと、帯域幅＝１００ＲＢおよび送信モード３から決まるサイズの両方について、ブラインド復号を行うことになる。この場合、モニタリングＣＣ１つ当たりのブラインド復号の回数は、最大で４４×２＝８８回となる。よって、図１６のようにＣＣ＃１〜＃４をグループ分けすることで、フラインド復号の回数が抑制される。
【０１３８】
図１７は、第２の実施の形態のＰＤＣＣＨの第２の送信例を示す図である。図１７の例では、ＤＬの帯域幅と送信モードとの組み合わせ、および、ＣＣ＃１〜＃４のグループ分けは、図１６の例と同じである。ただし、ＣＣ＃１，＃２の両方がグループ＃１のモニタリングＣＣであり、ＣＣ＃３，＃４の両方がグループ＃２のモニタリングＣＣである。
【０１３９】
このように、１つのグループに対して複数のモニタリングＣＣを設定することも可能である。これは、例えば、ＰＤＣＣＨで送信すべき制御信号の量が大きい場合や、ＣＣ＃１〜＃４の通信品質が安定しない場合などに有効である。移動局２００は、図１６と同様の理由により、ＣＣ＃１〜＃４それぞれについて最大４４回のブラインド復号を行う。
【０１４０】
図１８は、第２の実施の形態のＰＤＣＣＨの第３の送信例を示す図である。図１８の例では、ＤＬの帯域幅と送信モードとの組み合わせが、ＣＣ＃１は（７５ＲＢ，送信モード１）、ＣＣ＃２は（１００ＲＢ，送信モード３）、ＣＣ＃３は（７５ＲＢ，送信モード１）、ＣＣ＃４は（１００ＲＢ，送信モード３）である。ＣＣ＃１，＃３はグループ＃１に属し、ＣＣ＃２，＃４はグループ＃２に属する。ＣＣ＃１がグループ＃１のモニタリングＣＣであり、ＣＣ＃２がグループ＃２のモニタリングＣＣである。
【０１４１】
この場合、移動局２００は、ＣＣ＃１の共通サーチスペースおよびＵＥ個別サーチスペースからＰＤＣＣＨの候補を抽出し、ブラインド復号を行う。帯域幅と送信モードの組み合わせがＣＣ＃１，＃３で同じであるため、ブラインド復号の回数は最大４４回となる。また、移動局２００は、ＣＣ＃２の共通サーチスペースおよびＵＥ個別サーチスペースからＰＤＣＣＨの候補を抽出して、ブラインド復号を行う。帯域幅と送信モードの組み合わせがＣＣ＃２，＃４で同じであるため、ＣＣ＃１の場合と同様に、ブラインド復号の回数は最大４４回となる。このように、隣接していない複数のＣＣをグループ化してもよい。
【０１４２】
図１９は、第２の実施の形態のＰＤＣＣＨの第４の送信例を示す図である。図１９の例では、ＤＬの帯域幅と送信モードとの組み合わせが、ＣＣ＃１は（１００ＲＢ，送信モード１）、ＣＣ＃２は（１００ＲＢ，送信モード１）、ＣＣ＃３は（７５ＲＢ，送信モード３）、ＣＣ＃４は（７５ＲＢ，送信モード３）である。ＣＣ＃１〜＃４のグループ分けは、図１６の例と同じである。ただし、ＣＣ＃１がグループ＃１のモニタリングＣＣであり、ＣＣ＃２がグループ＃２のモニタリングＣＣである。
【０１４３】
このように、グループ外のＣＣをそのグループのモニタリングＣＣに指定してもよい。これは、例えば、グループ外のＣＣに、グループ内の何れのＣＣよりも通信品質が良好なものが存在する場合に有効である。あるいは、グループ外のＣＣに、グループ内の何れのＣＣよりもＰＤＣＣＨの容量が大きなものが存在する場合にも有効である。移動局２００は、図１６の場合と同様の理由により、ＣＣ＃１，＃２それぞれについて最大４４回のブラインド復号を行う。
【０１４４】
図２０は、第２の実施の形態のＰＤＣＣＨの第５の送信例を示す図である。図１６〜１９の例ではＤＬのＣＣ＃１〜＃４のグループ分けについて説明したが、ＵＬのＣＣ＃１〜＃４をグループ分けすることもできる。ＵＬのグループは、例えば、ＵＬのＣＣ＃１〜＃４の帯域幅（ＵＬの送信モードが存在する場合には、帯域幅と送信モード）に基づいて、ＤＬとは独立に設定する。または、ＤＬとＵＬを区別せず、ＤＬのＣＣ＃１〜＃４のグループ分け結果を用いて、ＵＬのＣＣ＃１〜＃４をグループ分けすることが考えられる。
【０１４５】
この例では、ＵＬのグループを、ＤＬのグループに対応させている。すなわち、ＵＬのＣＣ＃１，＃２はＤＬと同様にグループ＃１に属し、ＵＬのＣＣ＃３，＃４はＤＬと同様にグループ＃２に属する。また、ＤＬのＣＣ＃１がＵＬのＣＣ＃１，＃２（グループ＃１）に対応するモニタリングＣＣであり、ＤＬのＣＣ＃３がＵＬのＣＣ＃３，＃４（グループ＃２）に対応するモニタリングＣＣである。
【０１４６】
この場合、移動局２００は、ＣＣ＃１の共通サーチスペースおよびＵＥ個別サーチスペースからＰＤＣＣＨの候補を抽出し、ブラインド復号を行う。これにより、ＣＣ＃１，＃２のＰＵＳＣＨに関する制御信号が抽出され得る。また、ＣＣ＃３の共通サーチスペースおよびＵＥ個別サーチスペースからＰＤＣＣＨの候補を抽出し、ブラインド復号を行う。これにより、ＣＣ＃３，＃４のＰＵＳＣＨに関する制御信号が抽出され得る。
【０１４７】
なお、図２０の例では、ＣＣ＃１の共通サーチスペースおよびＵＥ個別サーチスペースには、ＣＣ＃１，＃２のＰＤＳＣＨに関する制御信号も含まれる。また、ＣＣ＃３の共通サーチスペースおよびＵＥ個別サーチスペースには、ＣＣ＃３，＃４のＰＤＳＣＨに関する制御信号も含まれる。ただし、ＰＵＳＣＨに関する制御信号とＰＤＳＣＨに関する制御信号とを、異なるモニタリングＣＣで送信するようにしてもよい。
【０１４８】
このような第２の実施の形態の移動通信システムによれば、移動局２００，２００ａが複数のＣＣを用いてデータ通信を行い基地局１００がクロスキャリアスケジューリングを行う場合であっても、モニタリングＣＣ１つ当たりのＰＤＣＣＨの信号長の候補数を抑制することができる。従って、移動局２００，２００ａが行うブラインド復号の回数を抑制することができ、移動局２００，２００ａの負担を軽減することができる。
【０１４９】
［第３の実施の形態］
次に、第３の実施の形態を説明する。第２の実施の形態との差異を中心に説明し、同様の事項については説明を省略する。第３の実施の形態に係る移動通信システムは、同一グループに纏めることができるＣＣの条件を、第２の実施の形態よりも緩和する。
【０１５０】
第３の実施の形態の移動通信システムは、図２に示した第２の実施の形態と同様のシステム構成によって実現できる。また、第３の実施の形態の基地局および移動局は、図１１，１２に示した第２の実施の形態と同様のブロック構造によって実現できる。ただし、グループ決定部１１３によるグループ分けの方法が、第２の実施の形態と異なる。以下、図１１，１２と同様の符号を用いて、第３の実施の形態を説明する。
【０１５１】
図２１は、第３の実施の形態の基地局制御を示すフローチャートである。このフローチャートは、図１３のステップＳ３の処理の具体例を示したものである。図２１に示す処理をステップ番号に沿って説明する。
【０１５２】
（ステップＳ２１）送信モード設定部１１２は、移動局２００とのデータ通信に使用するＣＣを設定する。また、使用ＣＣそれぞれの送信モードを設定する。
（ステップＳ２２）グループ決定部１１３は、１つのグループに含めることができるＣＣの最大数を設定する。
【０１５３】
（ステップＳ２３）グループ決定部１１３は、ステップＳ２１で設定した送信モードに対応するＤＣＩフォーマットをＣＣ毎に特定する。送信モードに依存するＤＣＩフォーマットは、図８に示した通り、ＵＥ個別サーチスペースに含まれ得るＤＣＩフォーマット１，１Ｂ，１Ｄ，２，２Ａ，２Ｂである。
【０１５４】
（ステップＳ２４）グループ決定部１１３は、未だ何れのグループにも属していないＣＣの中に、ＤＬの帯域幅とステップＳ２３で特定したＤＣＩフォーマットとの両方が同一である２以上のＣＣが存在するか判断する。存在する場合、処理をステップＳ２５に進める。存在しない場合、処理をステップＳ２７に進める。
【０１５５】
（ステップＳ２５）グループ決定部１１３は、未だ何れのグループにも属していないＣＣの中から、ＤＬの帯域幅とＤＣＩフォーマットの両方が同一である複数のＣＣを抽出する。ただし、ステップＳ２２で設定した最大数を超えない数のＣＣのみを抽出する。
【０１５６】
（ステップＳ２６）グループ決定部１１３は、ステップＳ２５で抽出したＣＣをグループ化する。そして、処理をステップＳ２４に進める。
（ステップＳ２７）グループ決定部１１３は、未だ何れのグループにも属していないＣＣが残っている場合、それらＣＣをグループ化する。ただし、各グループに属するＣＣの数が、ステップＳ２２で設定した最大数を超えないようにする。
【０１５７】
（ステップＳ２８）グループ決定部１１３は、ステップＳ２６，Ｓ２７で定義したグループそれぞれにグループＩＤを付与する。また、グループ毎に、少なくとも１つのモニタリングＣＣを選択する。
【０１５８】
（ステップＳ２９）ＣＩ付与部１１４は、使用するＣＣそれぞれにＣＩを付与する。
このように、第３の実施の形態では、帯域幅と送信モードに対応するＤＣＩフォーマットとの組み合わせが同じＣＣは、できる限り同一グループに属するようグループ分けを行う。図８に示す通り、ＵＥ個別サーチスペースでは、送信モード１，２，７に対してＤＣＩフォーマット１が共通に使用される。よって、第３の実施の形態では、送信モードが異なるＣＣであっても、優先的にグループ化されることがある。
【０１５９】
一方で、帯域幅とＤＣＩフォーマットの組み合わせが同じＣＣに関するＰＤＣＣＨは、信号長の候補も同じとなる。そのため、第２の実施の形態と同様に、モニタリングＣＣの１つのサーチスペースに含まれるＰＤＣＣＨの信号長の候補数を抑制することができる。
【０１６０】
図２２は、第３の実施の形態のＰＤＣＣＨの送信例を示す図である。図２２の例では、ＤＬの帯域幅と送信モードとの組み合わせが、ＣＣ＃１は（７５ＲＢ，送信モード１）、ＣＣ＃２は（７５ＲＢ，送信モード２）、ＣＣ＃３は（１００ＲＢ，送信モード１）、ＣＣ＃４は（１００ＲＢ，送信モード７）である。ＣＣ＃１，＃２がグループ＃１に属し、ＣＣ＃３，＃４がグループ＃２に属する。ＣＣ＃１がグループ＃１のモニタリングＣＣであり、ＣＣ＃３がグループ＃２のモニタリングＣＣである。
【０１６１】
移動局２００は、ＣＣ＃１についてＰＤＣＣＨのブラインド復号を行う。ブラインド復号のサイズは、帯域幅＝７５ＲＢと送信モード１，２に対応するＤＣＩフォーマットとから決まるサイズである。帯域幅とＤＣＩフォーマットの組み合わせがＣＣ＃１，＃２で同じになるため、共通のサイズでＣＣ＃１に関するＰＤＣＣＨとＣＣ＃２に関するＰＤＣＣＨの両方をブラインド復号することができる。
【０１６２】
すなわち、ＣＣ＃１のブラインド復号では、共通サーチスペースについて、ＤＣＩフォーマット０，１Ａ，３，３Ａに共通の信号長と、ＤＣＩフォーマット１Ｃの信号長（３０ビット）が長さの候補となる。また、ＵＥ個別サーチスペースについて、ＤＣＩフォーマット０，１Ａに共通の信号長と、送信モード１，２に対応する共通のＤＣＩフォーマット１の信号長（５２ビット）が長さの候補となる。以上より、移動局２００は、最大で２×６＋２×１６＝４４回のブラインド復号を行う。
【０１６３】
同様に、移動局２００は、ＣＣ＃３についてＰＤＣＣＨのブラインド復号を行う。ブラインド復号のサイズは、帯域幅＝１００ＲＢと送信モード１，７に対応するＤＣＩフォーマットとから決まるサイズである。帯域幅とＤＣＩフォーマットの組み合わせがＣＣ＃３，＃４で同じであるため、共通のサイズでＣＣ＃３に関するＰＤＣＣＨとＣＣ＃４に関するＰＤＣＣＨの両方をブラインド復号することができる。
【０１６４】
すなわち、ＣＣ＃３のブラインド復号では、共通サーチスペースについて、ＤＣＩフォーマット０，１Ａ，３，３Ａに共通の信号長と、ＤＣＩフォーマット１Ｃの信号長（３１ビット）が長さの候補となる。また、ＵＥ個別サーチスペースについて、ＤＣＩフォーマット０，１Ａに共通の信号長と、送信モード１，７に対応する共通のＤＣＩフォーマット１の信号長（５８ビット）が長さの候補となる。ＣＣ＃１の場合と同様に、移動局２００は、最大で２×６＋２×１６＝４４回のブラインド復号を行う。
【０１６５】
このような第３の実施の形態の移動通信システムによれば、第２の実施の形態と同様の効果が得られる。更に、第３の実施の形態では、送信モードは異なるがＰＤＣＣＨの信号長の候補が同じになるようなＣＣの集合を特定することができ、ブラインド復号の回数を低減できる可能性が高くなる。なお、第２および第３の実施の形態のグループ化方法を、組み合わせて使用することも可能である。例えば、送信モードが同一である複数のＣＣを抽出できなかった場合に、第３の実施の形態の方法を使用することが考えられる。
【０１６６】
［第４の実施の形態］
次に、第４の実施の形態を説明する。第２の実施の形態との差異を中心に説明し、同様の事項については説明を省略する。第４の実施の形態に係る移動通信システムは、同一グループに纏めることができるＣＣの条件を、第３の実施の形態よりも更に緩和する。
【０１６７】
第４の実施の形態の移動通信システムは、図２に示した第２の実施の形態と同様のシステム構成によって実現できる。また、第４の実施の形態の基地局および移動局は、図１１，１２に示した第２の実施の形態と同様のブロック構造によって実現できる。ただし、グループ決定部１１３によるグループ分けの方法が、第２の実施の形態と異なる。以下、図１１，１２と同様の符号を用いて、第４の実施の形態を説明する。
【０１６８】
図２３は、第４の実施の形態の基地局制御を示すフローチャートである。このフローチャートは、図１３のステップＳ３の処理の具体例を示したものである。図２３に示す処理をステップ番号に沿って説明する。
【０１６９】
（ステップＳ３１）送信モード設定部１１２は、移動局２００とのデータ通信に使用するＣＣを設定する。また、使用ＣＣそれぞれの送信モードを設定する。
（ステップＳ３２）グループ決定部１１３は、１つのグループに含めることができるＣＣの最大数を設定する。
【０１７０】
（ステップＳ３３）グループ決定部１１３は、ステップＳ３１で設定した送信モードに対応するＤＣＩフォーマットをＣＣ毎に特定する。
（ステップＳ３４）グループ決定部１１３は、帯域幅とビット数の関係（サイズ候補）が同じになるＤＣＩフォーマットの組を特定する。図９に示した通り、ＤＣＩフォーマット１Ｂ，１Ｄのサイズ候補は同じである。また、アンテナポート数が２のときのＤＣＩフォーマット２Ａ，２Ｂのサイズ候補は同じである。
【０１７１】
（ステップＳ３５）グループ決定部１１３は、未だ何れのグループにも属していないＣＣの中に、ＤＬの帯域幅とＤＣＩフォーマットのサイズ候補との両方が同一である２以上のＣＣが存在するか判断する。存在する場合、処理をステップＳ３６に進める。存在しない場合、処理をステップＳ３８に進める。
【０１７２】
（ステップＳ３６）グループ決定部１１３は、未だ何れのグループにも属していないＣＣの中から、ＤＬの帯域幅とＤＣＩフォーマットのサイズ候補とが同じ複数のＣＣを抽出する。ただし、ステップＳ３２で設定した最大数を超えない数のＣＣのみを抽出する。
【０１７３】
（ステップＳ３７）グループ決定部１１３は、ステップＳ３６で抽出したＣＣをグループ化する。そして、処理をステップＳ３５に進める。
（ステップＳ３８）グループ決定部１１３は、未だ何れのグループにも属していないＣＣが残っている場合、それらＣＣをグループ化する。ただし、各グループに属するＣＣの数が、ステップＳ３２で設定した最大数を超えないようにする。
【０１７４】
（ステップＳ３９）グループ決定部１１３は、ステップＳ３７，Ｓ３８で定義したグループそれぞれにグループＩＤを付与する。また、グループ毎に、少なくとも１つのモニタリングＣＣを選択する。
【０１７５】
（ステップＳ４０）ＣＩ付与部１１４は、使用するＣＣそれぞれにＣＩを付与する。
このように、第４の実施の形態では、帯域幅とＤＣＩフォーマットのサイズ候補との組み合わせが同じＣＣは、できる限り同一グループに属するようグループ分けを行う。
【０１７６】
ここで、図８に示す通り、ＵＥ個別サーチスペースでは、送信モード６のときにＤＣＩフォーマット１Ｂが使用され、送信モード５のときにＤＣＩフォーマット１Ｄが使用される。よって、送信モード５のＣＣと送信モード６のＣＣを、優先的にグループ化し得る。また、送信モード３のときにＤＣＩフォーマット２Ａが使用され、送信モード８のときにＤＣＩフォーマット２Ｂが使用される。よって、基地局１００のアンテナポート数が２の場合、送信モード３のＣＣと送信モード８のＣＣを、優先的にグループ化し得る。
【０１７７】
図２４は、第４の実施の形態のＰＤＣＣＨの送信例を示す図である。図２４の例では、ＤＬの帯域幅と送信モードとの組み合わせが、ＣＣ＃１は（７５ＲＢ，送信モード５）、ＣＣ＃２は（７５ＲＢ，送信モード６）、ＣＣ＃３は（１００ＲＢ，送信モード３）、ＣＣ＃４は（１００ＲＢ，送信モード８）である。ＣＣ＃１，＃２がグループ＃１に属し、ＣＣ＃３，＃４がグループ＃２に属する。ＣＣ＃１がグループ＃１のモニタリングＣＣであり、ＣＣ＃３がグループ＃２のモニタリングＣＣである。なお、基地局１００のアンテナポート数は２であるとする。
【０１７８】
移動局２００は、ＣＣ＃１についてＰＤＣＣＨのブラインド復号を行う。ブラインド復号のサイズは、帯域幅＝７５ＲＢと送信モード５，６に対応するＤＣＩフォーマットとから決まるサイズである。帯域幅とＤＣＩフォーマットのサイズ候補の組み合わせがＣＣ＃１，＃２で同じになるため、共通のサイズでＣＣ＃１に関するＰＤＣＣＨとＣＣ＃２に関するＰＤＣＣＨの両方をブラインド復号することができる。
【０１７９】
すなわち、ＣＣ＃１のブラインド復号では、共通サーチスペースについて、ＤＣＩフォーマット０，１Ａ，３，３Ａに共通の信号長と、ＤＣＩフォーマット１Ｃの信号長（３０ビット）が長さの候補となる。また、ＵＥ個別サーチスペースについて、ＤＣＩフォーマット０，１Ａに共通の信号長と、ＤＣＩフォーマット１Ｂ，１Ｄに共通の信号長（４９ビット）が長さの候補となる。以上より、移動局２００は、最大で２×６＋２×１６＝４４回のブラインド復号を行う。
【０１８０】
同様に、移動局２００は、ＣＣ＃３についてＰＤＣＣＨのブラインド復号を行う。ブラインド復号のサイズは、帯域幅＝１００ＲＢと送信モード３，８に対応するＤＣＩフォーマットとから決まるサイズである。帯域幅とＤＣＩフォーマットのサイズ候補の組み合わせがＣＣ＃３，＃４で同じであるため、共通のサイズでＣＣ＃３に関するＰＤＣＣＨとＣＣ＃４に関するＰＤＣＣＨの両方をブラインド復号することができる。
【０１８１】
すなわち、ＣＣ＃３のブラインド復号では、共通サーチスペースについて、ＤＣＩフォーマット０，１Ａ，３，３Ａに共通の信号長と、ＤＣＩフォーマット１Ｃの信号長（３１ビット）が長さの候補となる。また、ＵＥ個別サーチスペースについて、ＤＣＩフォーマット０，１Ａに共通の信号長と、ＤＣＩフォーマット２Ａ，２Ｂに共通の信号長（６７ビット）が長さの候補となる。ＣＣ＃１の場合と同様に、移動局２００は、最大で２×６＋２×１６＝４４回のブラインド復号を行う。
【０１８２】
このような第４の実施の形態の移動通信システムによれば、第２の実施の形態と同様の効果が得られる。更に、第４の実施の形態では、送信モードや送信モードに対応するＤＣＩフォーマットは異なるが、ＰＤＣＣＨの信号長の候補が同じになるようなＣＣの集合を特定することができ、ブラインド復号の回数を低減できる可能性が高くなる。なお、第２〜第４の実施の形態のグループ化方法を、組み合わせて使用することも可能である。例えば、送信モードが同一である複数のＣＣや、ＤＣＩフォーマットが同一になる複数のＣＣを抽出できなかった場合に、第４の実施の形態の方法を使用することが考えられる。
【０１８３】
［第５の実施の形態］
次に、第５の実施の形態を説明する。第２の実施の形態との差異を中心に説明し、同様の事項については説明を省略する。第５の実施の形態に係る移動通信システムは、同一グループに纏めることができるＣＣの条件を、第４の実施の形態よりも更に緩和する。
【０１８４】
第５の実施の形態の移動通信システムは、図２に示した第２の実施の形態と同様のシステム構成によって実現できる。また、第５の実施の形態の基地局および移動局は、図１１，１２に示した第２の実施の形態と同様のブロック構造によって実現できる。ただし、グループ決定部１１３によるグループ分けの方法が、第２の実施の形態と異なる。以下、図１１，１２と同様の符号を用いて、第５の実施の形態を説明する。
【０１８５】
図２５は、第５の実施の形態の基地局制御を示すフローチャートである。このフローチャートは、図１３のステップＳ３の処理の具体例を示したものである。図２５に示す処理をステップ番号に沿って説明する。
【０１８６】
（ステップＳ４１）送信モード設定部１１２は、移動局２００とのデータ通信に使用するＣＣを設定する。また、使用ＣＣそれぞれの送信モードを設定する。
（ステップＳ４２）グループ決定部１１３は、１つのグループに含めることができるＣＣの最大数を設定する。
【０１８７】
（ステップＳ４３）グループ決定部１１３は、ステップＳ４１で設定した送信モードに対応するＤＣＩフォーマットをＣＣ毎に特定する。
（ステップＳ４４）グループ決定部１１３は、ステップＳ４３で特定したＤＣＩフォーマットと帯域幅から、送信モードに応じて選択されるＤＣＩフォーマット１，１Ｂ，１Ｄ，２，２Ａ，２Ｂの信号長（ＤＣＩフォーマットのサイズ）をＣＣ毎に特定する。
【０１８８】
ここで、図９に示す通り、ＤＣＩフォーマット１，１Ｂ，１Ｄ，２，２Ａ，２Ｂについてサイズが４３ビットになる場合は５通りある。４５ビットになる場合は４通りある。４７ビットになる場合は６通りある。４９ビットになる場合は７通りある。５０ビットになる場合は６通りある。５２，５３，５７，５８ビットになる場合はそれぞれ２通りある。６１ビットになる場合は４通りある。６７ビットになる場合は３通りある。帯域幅が異なる場合でも、ＤＣＩフォーマットのサイズが同じになる場合がある。
【０１８９】
（ステップＳ４５）グループ決定部１１３は、未だ何れのグループにも属していないＣＣの中に、ステップＳ４４で特定したサイズが同一である２以上のＣＣが存在するか判断する。存在する場合、処理をステップＳ４６に進める。存在しない場合、処理をステップＳ４８に進める。
【０１９０】
（ステップＳ４６）グループ決定部１１３は、未だ何れのグループにも属していないＣＣの中から、ステップＳ４４で特定したサイズが同じ複数のＣＣを抽出する。ただし、ステップＳ４２で設定した最大数を超えない数のＣＣのみを抽出する。
【０１９１】
（ステップＳ４７）グループ決定部１１３は、ステップＳ４６で抽出したＣＣをグループ化する。そして、処理をステップＳ４５に進める。
（ステップＳ４８）グループ決定部１１３は、未だ何れのグループにも属していないＣＣが残っている場合、それらＣＣをグループ化する。ただし、各グループに属するＣＣの数が、ステップＳ４２で設定した最大数を超えないようにする。
【０１９２】
（ステップＳ４９）グループ決定部１１３は、ステップＳ４７，Ｓ４８で定義したグループそれぞれにグループＩＤを付与する。また、グループ毎に、少なくとも１つのモニタリングＣＣを選択する。
【０１９３】
（ステップＳ５０）ＣＩ付与部１１４は、使用するＣＣそれぞれにＣＩを付与する。
このように、第５の実施の形態では、送信モードに応じて選択されるＤＣＩフォーマットのサイズが同じＣＣは、できる限り同一グループに属するようグループ分けを行う。同一グループに属するＣＣの帯域幅が同じになるとは限らない。例として、上記ステップＳ４６の基準でグループ化した２つのＣＣに関する制御信号を、１つのモニタリングＣＣで送信する場合を考える。
【０１９４】
共通サーチスペースについては、前述のようにクロスキャリアスケジューリングが適用されないため、ＤＣＩフォーマット０，１Ａ，３，３Ａに共通の信号長と、ＤＣＩフォーマット１Ｃの信号長のそれぞれ１種類が、長さの候補となる。一方、ＵＥ個別サーチスペースについては、ＤＣＩフォーマット０，１Ａに共通の信号長と、ＤＣＩフォーマット１，１Ｂ，１Ｄ，２，２Ａ，２Ｂのサイズ候補のうちの１つが、長さの候補となる。ただし、２つのＣＣの帯域幅が異なる可能性があるため、ＤＣＩフォーマット０，１Ａの信号長の候補は最大２倍となる。以上より、移動局２００は、当該モニタリングＣＣにおいて、最大で２×６＋２×１６＋１×１６＝６０回のブラインド復号を行う。
【０１９５】
すなわち、第５の実施の形態では、送信モードに依存しないＤＣＩフォーマットと送信モードに応じて選択されるＤＣＩフォーマットのうち、後者のサイズが同一グループのＣＣ間で同じになるようグループ化する。一方、前者のサイズが同一グループのＣＣ間で同じになるようグループ化する方法も考えられる。その場合、送信モードにかかわらず、帯域幅の同じＣＣを同一のグループに纏めればよい。
【０１９６】
このような第５の実施の形態の移動通信システムによれば、送信モードに依存しないＤＣＩフォーマットと送信モードに応じて選択されるＤＣＩフォーマットの少なくとも一方について、信号長の候補数を抑制することができる。従って、ブラインド復号の回数を抑制することができ、移動局２００，２００ａの負担を軽減することができる。なお、第２〜第５の実施の形態のグループ化方法を、組み合わせて使用することも可能である。例えば、送信モードが同一である複数のＣＣやＤＣＩフォーマットが同一になる複数のＣＣを抽出できなかった場合に、第５の実施の形態の方法を使用することが考えられる。
【０１９７】
［第６の実施の形態］
次に、第６の実施の形態を説明する。第２の実施の形態との差異を中心に説明し、同様の事項については説明を省略する。第６の実施の形態に係る移動通信システムは、第２〜第５の実施の形態のグループ化方法を組み合わせて使用するものである。
【０１９８】
第６の実施の形態の移動通信システムは、図２に示した第２の実施の形態と同様のシステム構成によって実現できる。また、第６の実施の形態の基地局および移動局は、図１１，１２に示した第２の実施の形態と同様のブロック構造によって実現できる。ただし、グループ決定部１１３によるグループ分けの方法が、第２の実施の形態と異なる。以下、図１１，１２と同様の符号を用いて、第６の実施の形態を説明する。
【０１９９】
第６の実施の形態では、複数のグループ化方法が、帯域幅と送信モードとの組み合わせに応じて複数のパターンに分類される。例えば、複数のグループ化方法が、ブラインド復号の回数を抑制できる程度に応じて、抑制の程度が大きい順に複数のパターンに分類される。各パターンは１以上のグループ化方法を含む。各グループ化方法は、例えば、第２〜第５の実施の形態のグループ化方法の何れかに相当する。具体的には、例えば、複数のグループ化方法が、帯域幅と送信モードとの組み合わせで決まるＤＣＩフォーマットのサイズの、ＣＣ間での共通度に応じたパターンに、共通度の高い順に分類される。
【０２００】
ここでは、以下に示すように、３つのパターン（パターンｎ（ｎ＝１〜３））を定義する。パターン１は、３つのグループ化方法（グループ化方法ｍ（ｍ＝１〜３））を含む。パターン２は、２つのグループ化方法（グループ化方法ｍ（ｍ＝１，２）を含む。パターン３は、１つのグループ化方法（グループ化方法ｍ（ｍ＝１））を含む。
【０２０１】
（１）パターン１：送信モードに依存しないＤＣＩフォーマットのサイズと、送信モードに依存するＤＣＩフォーマットのサイズの、両方がＣＣ間で共通する場合。
（１ａ）グループ化方法１：何れのグループにも属していないＣＣのうち、帯域幅および送信モードが共に同じＣＣをグループ化する。第２の実施の形態のグループ化方法に相当する。
【０２０２】
（１ｂ）グループ化方法２：何れのグループにも属していないＣＣのうち、帯域幅が同じであり、且つ、送信モードは異なるが送信モードに対応するＤＣＩフォーマットが同じであるＣＣをグループ化する。第３の実施の形態のグループ化方法に相当する。
【０２０３】
（１ｃ）グループ化方法３：何れのグループにも属していないＣＣのうち、帯域幅が同じであり、且つ、送信モードや送信モードに対応するＤＣＩフォーマットは異なるが、送信モードに対応するＤＣＩフォーマットのサイズが同じであるＣＣをグループ化する。第４の実施の形態のグループ化方法に相当する。
【０２０４】
（２）パターン２：送信モードに依存しないＤＣＩフォーマットのサイズと、送信モードに依存するＤＣＩフォーマットのサイズの、何れか一方が共通する場合。
（２ａ）グループ化方法１：何れのグループにも属していないＣＣのうち、帯域幅が同じであり、且つ、送信モードに依存するＤＣＩフォーマットのサイズが異なるＣＣをグループ化する。
【０２０５】
（２ｂ）グループ化方法２：何れのグループにも属していないＣＣのうち、帯域幅が異なり、且つ、送信モードに依存するＤＣＩフォーマットのサイズが同じであるＣＣをグループ化する。第５の実施の形態のグループ化方法に相当する。
【０２０６】
（３）パターン３：送信モードに依存しないＤＣＩフォーマットのサイズと、送信モードに依存するＤＣＩフォーマットのサイズの、何れもが異なる。
（３ａ）グループ化方法３：何れのグループにも属していないＣＣのうち、帯域幅も、送信モードに依存するＤＣＩフォーマットのサイズも異なるＣＣをグループ化する。ただし、各グループに属するＣＣの数が、設定した最大数を超えないようにする。
【０２０７】
図２６は、第６の実施の形態の基地局制御を示すフローチャートである。このフローチャートは、図１３のステップＳ３の処理の具体例を示したものである。図２６に示す処理をステップ番号に沿って説明する。
【０２０８】
（ステップＳ５１）送信モード設定部１１２は、移動局２００とのデータ通信に使用するＣＣを設定する。また、使用ＣＣそれぞれの送信モードを設定する。
（ステップＳ５２）グループ決定部１１３は、１つのグループに含めることができるＣＣの最大数を設定する。
【０２０９】
（ステップＳ５３）グループ決定部１１３は、パターンの番号を示すパラメータｎを１に初期化する。
（ステップＳ５４）グループ決定部１１３は、パターン内におけるグループ化方法の番号を示すパラメータｍを１に初期化する。
【０２１０】
（ステップＳ５５）グループ決定部１１３は、パターンｎに含まれるグループ化方法ｍを適用して、未だ何れのグループにも属していないＣＣの中からＣＣの集合を抽出する。
（ステップＳ５６）グループ決定部１１３は、ステップＳ５６で抽出したＣＣをグループ化する。
【０２１１】
（ステップＳ５７）グループ決定部１１３は、パターンｎに含まれる全てのグループ化方法を適用したか否か判断する。全て適用した場合、処理をステップＳ５９に進める。未適用のものがある場合、処理をステップＳ５８に進める。
【０２１２】
（ステップＳ５８）グループ決定部１１３は、パラメータｍを１だけ増加（インクリメント）する。すなわち、パターンｎに含まれる次のグループ化方法を選択する。そして、処理をステップＳ５５に進める。
【０２１３】
（ステップＳ５９）グループ決定部１１３は、予め定義された全てのパターンを適用したか否か判断する。全て適用した場合、処理をステップＳ６１に進める。未適用のものがある場合、処理をステップＳ６０に進める。
【０２１４】
（ステップＳ６０）グループ決定部１１３は、パラメータｎをインクリメントする。すなわち、次のパターンを選択する。そして、処理をステップＳ５４に進める。
（ステップＳ６１）グループ決定部１１３は、未だ何れのグループにも属していないＣＣが残っている場合、それらＣＣをグループ化する。ただし、各グループに属するＣＣの数が、ステップＳ５２で設定した最大数を超えないようにする。
【０２１５】
（ステップＳ６２）グループ決定部１１３は、ステップＳ５６，Ｓ６１で定義したグループそれぞれにグループＩＤを付与する。また、グループ毎に、少なくとも１つのモニタリングＣＣを選択する。
【０２１６】
（ステップＳ６３）ＣＩ付与部１１４は、使用するＣＣそれぞれにＣＩを付与する。
第６の実施の形態によれば、移動局２００，２００ａが複数のＣＣを用いてデータ通信を行い基地局１００がクロスキャリアスケジューリングを行う場合であっても、モニタリングＣＣ１つ当たりのＰＤＣＣＨの信号長の候補数を抑制することができる。また、同じ信号長の候補をもつ制御信号を同一のモニタリングＣＣ上の１つのサーチスペースに集約することが可能となる。従って、移動局２００，２００ａが行うブラインド復号の回数を抑制することができ、移動局２００，２００ａの負担を軽減することができる。特に、第６の実施の形態では、ブラインド復号の回数を抑制できる程度が大きなグループ化方法を優先して、グループ化を行うことができる。
【０２１７】
なお、第６の実施の形態では、全てのパターンの全てのグループ化方法による処理を実行するとしたが、所定の条件を満たすような、一部のパターンや一部のグループ化方法のみによる処理を実行するものとしてもよい。
【０２１８】
上記については単に本発明の原理を示すものである。更に、多数の変形や変更が当業者にとって可能であり、本発明は上記に示し、説明した正確な構成および応用例に限定されるものではなく、対応する全ての変形例および均等物は、添付の請求項およびその均等物による本発明の範囲とみなされる。
【符号の説明】
【０２１９】
１０，２０  無線通信装置
１１，２２  制御部
１２  送信部
２１  受信部
２３  信号処理部
【図１】
0005556885.tif 000002
【図２】
0005556885.tif 000003
【図３】
0005556885.tif 000004
【図４】
0005556885.tif 000005
【図５】
0005556885.tif 000006
【図６】
0005556885.tif 000007
【図７】
0005556885.tif 000008
【図８】
0005556885.tif 000009
【図９】
0005556885.tif 000010
【図１０】
0005556885.tif 000011
【図１１】
0005556885.tif 000012
【図１２】
0005556885.tif 000013
【図１３】
0005556885.tif 000014
【図１４】
0005556885.tif 000015
【図１５】
0005556885.tif 000016
【図１６】
0005556885.tif 000017
【図１７】
0005556885.tif 000018
【図１８】
0005556885.tif 000019
【図１９】
0005556885.tif 000020
【図２０】
0005556885.tif 000021
【図２１】
0005556885.tif 000022
【図２２】
0005556885.tif 000023
【図２３】
0005556885.tif 000024
【図２４】
0005556885.tif 000025
【図２５】
0005556885.tif 000026
【図２６】
0005556885.tif 000027